(57)【要約】  ワイヤレス通信のための方法、装置、およびコンピュータ可読媒体が提供される。装置は、第２のワイヤレスデバイスからデータ確認メッセージを受信するように構成され得る第１のワイヤレスデバイスである。データ確認メッセージは、第２のワイヤレスデバイスが、第２のワイヤレスデバイスに送信されたデータを正常に受信したかどうかを示し得る。第１のワイヤレスデバイスは、受信されたデータ確認メッセージと受信されたデータ確認メッセージのＭＡＣヘッダとに基づいて、第２のワイヤレスデバイスが第１のＢＳＳに関連付けられるのか第１のＢＳＳとは異なる第２のＢＳＳに関連付けられるのかを決定するように構成され得る。第１のワイヤレスデバイスは、第２のワイヤレスデバイスが第１のＢＳＳに関連付けられるのか第１のＢＳＳとは異なる第２のＢＳＳに関連付けられるのかの決定に基づいて、第３のワイヤレスデバイスに時間期間中で送信するように構成され得る。【選択図】      図１
2018523367.tif 000002
【特許請求の範囲】
【請求項１】
第１の基本サービスセット（ＢＳＳ）に関連付けられた第１のワイヤレスデバイスによるワイヤレス通信の方法であって、
第２のワイヤレスデバイスからデータ確認メッセージを受信することと、前記データ確認メッセージは、前記第２のワイヤレスデバイスが、前記第２のワイヤレスデバイスに送信されたデータを正常に受信したかどうかを示す、
前記受信されたデータ確認メッセージと前記受信されたデータ確認メッセージの媒体アクセス制御（ＭＡＣ）ヘッダとに基づいて、前記第２のワイヤレスデバイスが前記第１のＢＳＳに関連付けられるのか前記第１のＢＳＳとは異なる第２のＢＳＳに関連付けられるのかを決定することと、前記第２のＢＳＳが、前記第１のワイヤレスデバイスに関連付けられた前記第１のＢＳＳとは異なる重複ＢＳＳ（ＯＢＳＳ）である、
前記第２のワイヤレスデバイスが前記第１のＢＳＳに関連付けられるのか前記第１のＢＳＳとは異なる前記第２のＢＳＳに関連付けられるのかの前記決定に基づいて、第３のワイヤレスデバイスに時間期間中で送信することと
を備える、方法。
【請求項２】
前記時間期間は、前記第２のワイヤレスデバイスが前記第２のＢＳＳに関連付けられるとき、前記データ確認メッセージの送信中にあり、前記時間期間は、前記第２のワイヤレスデバイスが前記第１のＢＳＳに関連付けられるとき、前記データ確認メッセージの前記送信の後にある、請求項１に記載の方法。
【請求項３】
前記ＭＡＣヘッダが受信機アドレスフィールドまたは送信機アドレスフィールドを備え、ここにおいて、前記第２のワイヤレスデバイスが前記第１のＢＳＳに関連付けられるのか前記第２のＢＳＳに関連付けられるのかを前記決定することは、
前記受信されたデータ確認メッセージ中に含まれる前記受信機アドレスフィールドが、前記第２のワイヤレスデバイスが前記第１のＢＳＳに関連付けられることを示すのか前記第２のＢＳＳに関連付けられることを示すのかを決定すること、または、
前記受信されたデータ確認メッセージ中に含まれる前記送信機アドレスフィールドが、前記第２のワイヤレスデバイスが前記第１のＢＳＳに関連付けられることを示すのか前記第２のＢＳＳに関連付けられることを示すのかを決定すること
のうちの少なくとも１つを備える、請求項１に記載の方法。
【請求項４】
前記受信されたデータ確認メッセージがアクセスポイントから受信され、前記アクセスポイントが前記第２のワイヤレスデバイスであり、前記受信機アドレスフィールドがＢＳＳ識別子（ＢＳＳＩＤ）を含み、ここにおいて、前記第２のワイヤレスデバイスが前記第１のＢＳＳに関連付けられるのか前記第２のＢＳＳに関連付けられるのかの前記決定は、前記受信機アドレスフィールド中の前記ＢＳＳＩＤに基づく、請求項３に記載の方法。
【請求項５】
前記受信されたデータ確認メッセージは、前記受信機アドレスフィールドが前記ＢＳＳＩＤを含むかどうかを示す、フレーム制御フィールド中のインジケータを含む、請求項４に記載の方法。
【請求項６】
前記受信機アドレスフィールドが、前記第２のワイヤレスデバイスと別のワイヤレスデバイスとの間のネゴシエーションに基づく前記ＢＳＳＩＤを含む、請求項４に記載の方法。
【請求項７】
前記送信機アドレスフィールドがＢＳＳ識別子（ＢＳＳＩＤ）を含み、ここにおいて、前記第２のワイヤレスデバイスが前記第１のＢＳＳに関連付けられるのか前記第２のＢＳＳに関連付けられるのかの前記決定は、前記送信機アドレスフィールド中の前記ＢＳＳＩＤに基づく、請求項３に記載の方法。
【請求項８】
別のワイヤレスデバイスからデータメッセージを受信することと、
前記データメッセージが正常に受信されたかどうかに基づいて、前記別のワイヤレスデバイスに第２のデータ確認メッセージを送信することと、ここにおいて、前記第２のデータ確認メッセージは、少なくとも１つの他のワイヤレスデバイスが送信することを控えるべきかどうかを決定することを可能にする、第２のＭＡＣヘッダ中のＢＳＳ識別子（ＢＳＳＩＤ）を含む、
をさらに備える、請求項１に記載の方法。
【請求項９】
前記第２のデータ確認メッセージが第２の受信機アドレスフィールドまたは第２の送信機アドレスフィールドを備え、ここにおいて、少なくとも１つの前記第２の受信機アドレスフィールドまたは前記第２の送信機アドレスフィールドは、前記第２のデータ確認メッセージが、前記少なくとも１つの他のワイヤレスデバイスに関連付けられたＢＳＳとは異なるＢＳＳから送信されているかどうかを示す、請求項８に記載の方法。
【請求項１０】
ワイヤレス通信のための装置であって、前記装置が、第１の基本サービスセット（ＢＳＳ）に関連付けられた第１のワイヤレスデバイスであり、
メモリと、
前記メモリに結合された少なくとも１つのプロセッサと
を備え、前記少なくとも１つのプロセッサは、
第２のワイヤレスデバイスからデータ確認メッセージを受信することと、前記データ確認メッセージは、前記第２のワイヤレスデバイスが、前記第２のワイヤレスデバイスに送信されたデータを正常に受信したかどうかを示す、
前記受信されたデータ確認メッセージと前記受信されたデータ確認メッセージの媒体アクセス制御（ＭＡＣ）ヘッダとに基づいて、前記第２のワイヤレスデバイスが前記第１のＢＳＳに関連付けられるのか前記第１のＢＳＳとは異なる第２のＢＳＳに関連付けられるのかを決定することと、前記第２のＢＳＳが、前記第１のワイヤレスデバイスに関連付けられた前記第１のＢＳＳとは異なる重複ＢＳＳ（ＯＢＳＳ）である、
前記第２のワイヤレスデバイスが前記第１のＢＳＳに関連付けられるのか前記第１のＢＳＳとは異なる前記第２のＢＳＳに関連付けられるのかの前記決定に基づいて、第３のワイヤレスデバイスに時間期間中で送信することと
を行うように構成された、装置。
【請求項１１】
前記時間期間は、前記第２のワイヤレスデバイスが前記第２のＢＳＳに関連付けられるとき、前記データ確認メッセージの送信中にあり、前記時間期間は、前記第２のワイヤレスデバイスが前記第１のＢＳＳに関連付けられるとき、前記データ確認メッセージの前記送信の後にある、請求項１０に記載の装置。
【請求項１２】
前記ＭＡＣヘッダが受信機アドレスフィールドまたは送信機アドレスフィールドを備え、ここにおいて、前記少なくとも１つのプロセッサは、
前記受信されたデータ確認メッセージ中に含まれる前記受信機アドレスフィールドが、前記第２のワイヤレスデバイスが前記第１のＢＳＳに関連付けられることを示すのか前記第２のＢＳＳに関連付けられることを示すのかを決定すること、または、
前記受信されたデータ確認メッセージ中に含まれる前記送信機アドレスフィールドが、前記第２のワイヤレスデバイスが前記第１のＢＳＳに関連付けられることを示すのか前記第２のＢＳＳに関連付けられることを示すのかを決定すること
のうちの少なくとも１つを実行することによって、前記第２のワイヤレスデバイスが前記第１のＢＳＳに関連付けられるのか前記第２のＢＳＳに関連付けられるのかを決定するように構成された、請求項１０に記載の装置。
【請求項１３】
前記受信されたデータ確認メッセージがアクセスポイントから受信され、前記アクセスポイントが前記第２のワイヤレスデバイスであり、前記受信機アドレスフィールドがＢＳＳ識別子（ＢＳＳＩＤ）を含み、ここにおいて、前記第２のワイヤレスデバイスが前記第１のＢＳＳに関連付けられるのか前記第２のＢＳＳに関連付けられるのかの前記決定は、前記受信機アドレスフィールド中の前記ＢＳＳＩＤに基づく、請求項１２に記載の装置。
【請求項１４】
前記受信されたデータ確認メッセージは、前記受信機アドレスフィールドが前記ＢＳＳＩＤを含むかどうかを示す、フレーム制御フィールド中のインジケータを含む、請求項１３に記載の装置。
【請求項１５】
前記受信機アドレスフィールドが、前記第２のワイヤレスデバイスと別のワイヤレスデバイスとの間のネゴシエーションに基づく前記ＢＳＳＩＤを含む、請求項１３に記載の装置。
【請求項１６】
前記送信機アドレスフィールドがＢＳＳ識別子（ＢＳＳＩＤ）を含み、ここにおいて、前記第２のワイヤレスデバイスが前記第１のＢＳＳに関連付けられるのか前記第２のＢＳＳに関連付けられるのかの前記決定は、前記送信機アドレスフィールド中の前記ＢＳＳＩＤに基づく、請求項１２に記載の装置。
【請求項１７】
前記少なくとも１つのプロセッサは、
別のワイヤレスデバイスからデータメッセージを受信することと、
前記データメッセージが正常に受信されたかどうかに基づいて、前記別のワイヤレスデバイスに第２のデータ確認メッセージを送信することと、ここにおいて、前記第２のデータ確認メッセージは、少なくとも１つの他のワイヤレスデバイスが送信することを控えるべきかどうかを決定することを可能にする、第２のＭＡＣヘッダ中のＢＳＳ識別子（ＢＳＳＩＤ）を含む、
を行うようにさらに構成された、請求項１０に記載の装置。
【請求項１８】
前記第２のデータ確認メッセージが第２の受信機アドレスフィールドまたは第２の送信機アドレスフィールドを備え、ここにおいて、少なくとも１つの前記第２の受信機アドレスフィールドまたは前記第２の送信機アドレスフィールドは、前記第２のデータ確認メッセージが、前記少なくとも１つの他のワイヤレスデバイスに関連付けられたＢＳＳとは異なるＢＳＳから送信されているかどうかを示す、請求項１７に記載の装置。
【請求項１９】
ワイヤレス通信のための装置であって、前記装置が、第１の基本サービスセット（ＢＳＳ）に関連付けられた第１のワイヤレスデバイスであり、
第２のワイヤレスデバイスからデータ確認メッセージを受信するための手段と、前記データ確認メッセージは、前記第２のワイヤレスデバイスが、前記第２のワイヤレスデバイスに送信されたデータを正常に受信したかどうかを示す、
前記受信されたデータ確認メッセージと前記受信されたデータ確認メッセージの媒体アクセス制御（ＭＡＣ）ヘッダとに基づいて、前記第２のワイヤレスデバイスが前記第１のＢＳＳに関連付けられるのか前記第１のＢＳＳとは異なる第２のＢＳＳに関連付けられるのかを決定するための手段と、前記第２のＢＳＳが、前記第１のワイヤレスデバイスに関連付けられた前記第１のＢＳＳとは異なる重複ＢＳＳ（ＯＢＳＳ）である、
前記第２のワイヤレスデバイスが前記第１のＢＳＳに関連付けられるのか前記第１のＢＳＳとは異なる前記第２のＢＳＳに関連付けられるのかの前記決定に基づいて、第３のワイヤレスデバイスに時間期間中で送信するための手段と
を備える、装置。
【請求項２０】
前記時間期間は、前記第２のワイヤレスデバイスが前記第２のＢＳＳに関連付けられるとき、前記データ確認メッセージの送信中にあり、前記時間期間は、前記第２のワイヤレスデバイスが前記第１のＢＳＳに関連付けられるとき、前記データ確認メッセージの前記送信の後にある、請求項１９に記載の装置。
【請求項２１】
前記ＭＡＣヘッダが受信機アドレスフィールドまたは送信機アドレスフィールドを備え、ここにおいて、前記第２のワイヤレスデバイスが前記第１のＢＳＳに関連付けられるのか前記第２のＢＳＳに関連付けられるのかを決定するための前記手段は、
前記受信されたデータ確認メッセージ中に含まれる前記受信機アドレスフィールドが、前記第２のワイヤレスデバイスが前記第１のＢＳＳに関連付けられることを示すのか前記第２のＢＳＳに関連付けられることを示すのかを決定すること、または、
前記受信されたデータ確認メッセージ中に含まれる前記送信機アドレスフィールドが、前記第２のワイヤレスデバイスが前記第１のＢＳＳに関連付けられることを示すのか前記第２のＢＳＳに関連付けられることを示すのかを決定すること
のうちの少なくとも１つを実行するように構成された、請求項１９に記載の装置。
【請求項２２】
前記受信されたデータ確認メッセージがアクセスポイントから受信され、前記アクセスポイントが前記第２のワイヤレスデバイスであり、前記受信機アドレスフィールドがＢＳＳ識別子（ＢＳＳＩＤ）を含み、ここにおいて、前記第２のワイヤレスデバイスが前記第１のＢＳＳに関連付けられるのか前記第２のＢＳＳに関連付けられるのかの前記決定は、前記受信機アドレスフィールド中の前記ＢＳＳＩＤに基づく、請求項２１に記載の装置。
【請求項２３】
前記受信されたデータ確認メッセージは、前記受信機アドレスフィールドが前記ＢＳＳＩＤを含むかどうかを示す、フレーム制御フィールド中のインジケータを含む、請求項２２に記載の装置。
【請求項２４】
前記受信機アドレスフィールドが、前記第２のワイヤレスデバイスと別のワイヤレスデバイスとの間のネゴシエーションに基づく前記ＢＳＳＩＤを含む、請求項２２に記載の装置。
【請求項２５】
前記送信機アドレスフィールドがＢＳＳ識別子（ＢＳＳＩＤ）を含み、ここにおいて、前記第２のワイヤレスデバイスが前記第１のＢＳＳに関連付けられるのか前記第２のＢＳＳに関連付けられるのかの前記決定は、前記送信機アドレスフィールド中の前記ＢＳＳＩＤに基づく、請求項２１に記載の装置。
【請求項２６】
別のワイヤレスデバイスからデータメッセージを受信するための手段と、
前記データメッセージが正常に受信されたかどうかに基づいて、前記別のワイヤレスデバイスに第２のデータ確認メッセージを送信するための手段と、ここにおいて、前記第２のデータ確認メッセージは、少なくとも１つの他のワイヤレスデバイスが送信することを控えるべきかどうかを決定することを可能にする、第２のＭＡＣヘッダ中のＢＳＳ識別子（ＢＳＳＩＤ）を含む、
をさらに備える、請求項１９に記載の装置。
【請求項２７】
前記第２のデータ確認メッセージが第２の受信機アドレスフィールドまたは第２の送信機アドレスフィールドを備え、ここにおいて、少なくとも１つの前記第２の受信機アドレスフィールドまたは前記第２の送信機アドレスフィールドは、前記第２のデータ確認メッセージが、前記少なくとも１つの他のワイヤレスデバイスに関連付けられたＢＳＳとは異なるＢＳＳから送信されているかどうかを示す、請求項２６に記載の装置。
【請求項２８】
第２のワイヤレスデバイスからデータ確認メッセージを受信することと、前記データ確認メッセージは、前記第２のワイヤレスデバイスが、前記第２のワイヤレスデバイスに送信されたデータを正常に受信したかどうかを示す、
前記受信されたデータ確認メッセージと前記受信されたデータ確認メッセージの媒体アクセス制御（ＭＡＣ）ヘッダとに基づいて、前記第２のワイヤレスデバイスが第１の基本サービスセット（ＢＳＳ）に関連付けられるのか前記第１のＢＳＳとは異なる第２のＢＳＳに関連付けられるのかを決定することと、前記第２のＢＳＳが、第１のワイヤレスデバイスに関連付けられた前記第１のＢＳＳとは異なる重複ＢＳＳ（ＯＢＳＳ）である、
前記第２のワイヤレスデバイスが前記第１のＢＳＳに関連付けられるのか前記第１のＢＳＳとは異なる前記第２のＢＳＳに関連付けられるのかの前記決定に基づいて、第３のワイヤレスデバイスに時間期間中で送信することと
を行うためのコードを備える、コンピュータ実行可能コードを記憶する、前記第１のＢＳＳに関連付けられた前記第１のワイヤレスデバイスのコンピュータ可読媒体。
【請求項２９】
前記時間期間は、前記第２のワイヤレスデバイスが前記第２のＢＳＳに関連付けられるとき、前記データ確認メッセージの送信中にあり、前記時間期間は、前記第２のワイヤレスデバイスが前記第１のＢＳＳに関連付けられるとき、前記データ確認メッセージの前記送信の後にある、請求項２８に記載のコンピュータ可読媒体。
【請求項３０】
前記ＭＡＣヘッダが受信機アドレスフィールドまたは送信機アドレスフィールドを備え、ここにおいて、前記第２のワイヤレスデバイスが前記第１のＢＳＳに関連付けられるのか前記第２のＢＳＳに関連付けられるのかを決定するための前記コードは、
前記受信されたデータ確認メッセージ中に含まれる前記受信機アドレスフィールドが、前記第２のワイヤレスデバイスが前記第１のＢＳＳに関連付けられることを示すのか前記第２のＢＳＳに関連付けられることを示すのかを決定するためのコード、または、
前記受信されたデータ確認メッセージ中に含まれる前記送信機アドレスフィールドが、前記第２のワイヤレスデバイスが前記第１のＢＳＳに関連付けられることを示すのか前記第２のＢＳＳに関連付けられることを示すのかを決定するためのコード
のうちの少なくとも１つを備える、請求項２８に記載のコンピュータ可読媒体。
【発明の詳細な説明】
【技術分野】
【０００１】
関連出願の相互参照
[0001]本出願は、その全体が参照により本明細書に明確に組み込まれる、２０１５年６月２日に出願された「COLOR CODING FOR DATA CONFIRMATION SIGNALS」と題する米国仮出願第６２／１７０，０７０号、および２０１６年５月２６日に出願された「COLOR CODING FOR DATA CONFIRMATION SIGNALS」と題する米国特許出願第１５／１６６，１５５号の利益を主張する。
【０００２】
[0002]本開示は、一般に通信システムに関し、より詳細には、データ確認信号のためのカラーコーディングに関する。
【背景技術】
【０００３】
[0003]多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る、地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）に指定されるであろう。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、同期光ネットワーキング（ＳＯＮＥＴ：Synchronous Optical Networking）、イーサネット（登録商標）など）によって異なる。
【０００４】
[0004]ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用する非誘導伝搬モードでは、無形物理媒体を採用する。ワイヤレスネットワークは、有利には、固定ワイヤードネットワークと比較して、ユーザモビリティと迅速なフィールド展開とを可能にする。
【発明の概要】
【０００５】
[0005]本発明のシステム、方法、コンピュータ可読媒体、およびデバイスは、それぞれいくつかの態様を有し、それらのうちの単一の態様が、単独で、本発明の望ましい属性を担当するとは限らない。次に、以下の特許請求の範囲によって表される本発明の範囲を限定することなしに、いくつかの特徴が手短に説明される。この説明を考察すれば、特に「発明を実施するための形態」と題するセクションを読めば、本発明の特徴が、ワイヤレスネットワークにおけるデバイスに利点をどのように提供するかが理解されよう。
【０００６】
[0006]本開示の一態様は、ワイヤレス通信のための装置を提供する。本装置は第１のワイヤレスデバイスである。第１のワイヤレスデバイスは、第２のワイヤレスデバイスからデータ確認メッセージを受信するように構成され得る。データ確認メッセージは、第２のワイヤレスデバイスが、第２のワイヤレスデバイスに送信されたデータを正常に受信したかどうかを示し得る。第１のワイヤレスデバイスは、受信されたデータ確認メッセージと受信されたデータ確認メッセージの媒体アクセス制御ヘッダとに基づいて、第２のワイヤレスデバイスが第１の基本サービスセットに関連付けられるのか第１の基本サービスセットとは異なる第２の基本サービスセットに関連付けられるのかを決定するように構成され得る。第２の基本サービスセットは、第１のワイヤレスデバイスに関連付けられた第１の基本サービスセットとは異なる重複基本サービスセット（overlapping basic service set）であり得る。第１のワイヤレスデバイスは、第２のワイヤレスデバイスが第１のＢＳＳに関連付けられるのか第１のＢＳＳとは異なる第２のＢＳＳに関連付けられるのかの決定に基づいて、第３のワイヤレスデバイスに時間期間中で送信するように構成され得る。
【図面の簡単な説明】
【０００７】
【図１】[0007]本開示の態様が採用され得る、例示的なワイヤレス通信システムを示す図。
【図２】[0008]カラー情報をもつデータ確認メッセージを利用するワイヤレスネットワークの例示的な図。
【図３】[0009]図１のワイヤレス通信システム内でカラー情報をもつデータ確認メッセージを利用し得るワイヤレスデバイスの例示的な機能ブロック図。
【図４】[0010]ワイヤレス通信のためにカラー情報をもつデータ確認メッセージを利用する例示的な方法のフローチャート。
【図５】[0011]データ確認メッセージ中のカラー情報を利用し得る例示的なワイヤレス通信デバイスの機能ブロック図。
【図６】[0012]データ確認メッセージの例示的な図。
【図７】[0013]カラー情報に基づいて再利用を増加させるための例示的な方法を示す図。
【発明を実施するための形態】
【０００８】
[0014]添付の図面を参照しながら、新規のシステム、装置、コンピュータ可読媒体、および方法の様々な態様が、以下でより十分に説明される。ただし、本開示は、多くの異なる形態で実施され得、本開示全体にわたって提示される任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本発明の他の態様とは無関係に実装されるにせよ、本発明の他の態様と組み合わせられるにせよ、本明細書で開示される新規のシステム、装置、コンピュータプログラム製品、および方法のいかなる態様をもカバーするものであることを、当業者は諒解されたい。たとえば、本明細書に記載の態様をいくつ使用しても、装置は実装され得、または方法は実施され得る。さらに、本発明の範囲は、本明細書に記載される本発明の様々な態様に加えてまたはそれらの態様以外に、他の構造、機能、または構造および機能を使用して実施されるそのような装置または方法をカバーするものとする。本明細書で開示されるどの態様も請求項の１つまたは複数の要素によって実施され得ることを理解されたい。
【０００９】
[0015]本明細書では特定の態様が説明されるが、これらの態様の多くの変形および置換は本開示の範囲内に入る。好適な態様のいくつかの利益および利点が説明されるが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのうちのいくつかが例として、図および好適な態様についての以下の説明において示される。発明を実施するための形態および図面は、本開示を限定するものではなく説明するものにすぎず、本開示の範囲は添付の特許請求の範囲およびそれの均等物によって定義される。
【００１０】
[0016]普及しているワイヤレスネットワーク技術は、様々なタイプのＷＬＡＮを含み得る。ＷＬＡＮは、広く使用されるネットワーキングプロトコルを採用して、近接デバイスを互いに相互接続するために使用され得る。本明細書で説明される様々な態様は、ワイヤレスプロトコルなど、任意の通信規格に適用され得る。
【００１１】
[0017]いくつかの態様では、ワイヤレス信号は、直交周波数分割多重（ＯＦＤＭ）、直接シーケンススペクトル拡散（ＤＳＳＳ）通信、ＯＦＤＭとＤＳＳＳ通信との組合せ、または他の方式を使用して、８０２．１１プロトコルに従って送信され得る。８０２．１１プロトコルの実装形態は、センサー、メータリング（metering）、およびスマートグリッドネットワークのために使用され得る。有利には、８０２．１１プロトコルを実装するいくつかのデバイスの態様は、他のワイヤレスプロトコルを実装するデバイスよりも少ない電力を消費し得、および／または比較的長い距離、たとえば約１キロメートル以上にわたってワイヤレス信号を送信するために使用され得る。
【００１２】
[0018]いくつかの実装形態では、ＷＬＡＮは、ワイヤレスネットワークにアクセスする構成要素である様々なデバイスを含む。たとえば、２つのタイプのデバイス、すなわちアクセスポイント（ＡＰ）および（局または「ＳＴＡ」とも呼ばれる）クライアントがあり得る。概して、ＡＰがＷＬＡＮのためのハブまたは基地局として働き得、ＳＴＡがＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を得るために、ＷｉＦｉ（登録商標）（たとえば、ＩＥＥＥ８０２．１１プロトコル）準拠ワイヤレスリンクを介してＡＰに接続する。いくつかの実装形態では、ＳＴＡはＡＰとして使用されることもある。
【００１３】
[0019]アクセスポイントはまた、ノードＢ、無線ネットワークコントローラ（ＲＮＣ）、ｅノードＢ、基地局コントローラ（ＢＳＣ）、基地トランシーバ局（ＢＴＳ）、基地局（ＢＳ）、トランシーバ機能（ＴＦ）、無線ルータ、無線トランシーバ、接続ポイント、または何らかの他の用語を備えるか、それらのいずれかとして実装されるか、あるいはそれらのいずれかとして知られていることがある。
【００１４】
[0020]局はまた、アクセス端末（ＡＴ）、加入者局、加入者ユニット、移動局、リモート局、リモート端末、ユーザ端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、局は、セルラー電話、コードレス電話、セッション開始プロトコル（ＳＩＰ）フォン、ワイヤレスローカルループ（ＷＬＬ）局、携帯情報端末（ＰＤＡ）、ワイヤレス接続機能を有するハンドヘルドデバイス、またはワイヤレスモデムに接続された何らかの他の好適な処理デバイスを備え得る。したがって、本明細書で教示される１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００１５】
[0021]「関連付ける」または「関連付け」という用語、あるいはそれらの任意の変形態は、本開示のコンテキスト内で可能な最も広い意味を与えられるべきである。例として、第１の装置が第２の装置に関連付けるとき、２つの装置が直接関連付けられ得るか、または中間装置が存在し得ることを理解されたい。簡潔のために、２つの装置間の関連付けを確立するためのプロセスが、装置のうちの１つによる「関連付け要求」と、後続の、他の装置による「関連付け応答」とを必要とする、ハンドシェイクプロトコルを使用して説明される。ハンドシェイクプロトコルが、例として、認証を行うためのシグナリングなど、他のシグナリングを必要とし得ることが、当業者には理解されよう。
【００１６】
[0022]本明細書における「第１」、「第２」などの名称を使用した要素への言及は、それらの要素の数量または順序を概括的に限定するものでない。むしろ、これらの名称は、本明細書において２つまたはそれ以上の要素またはある要素の複数の事例を区別する便利な方法として使用される。したがって、第１および第２の要素への言及は、２つの要素のみが採用され得ること、または第１の要素が第２の要素に先行しなければならないことを意味するものではない。さらに、項目のリスト「のうちの少なくとも１つ」を指す句は、単一のメンバーを含む、それらの項目の任意の組合せを指す。一例として、「Ａ、Ｂ、またはＣのうちの少なくとも１つ」は、Ａ、またはＢ、またはＣ、あるいはそれらの任意の組合せ（たとえば、Ａ−Ｂ、Ａ−Ｃ、Ｂ−Ｃ、およびＡ−Ｂ−Ｃ）を包含するものとする。
【００１７】
[0023]上記で説明されたように、本明細書で説明されるいくつかのデバイスは、たとえば、８０２．１１規格を実装し得る。そのようなデバイスは、ＳＴＡとして使用されるのか、ＡＰとして使用されるのか、他のデバイスとして使用されるのかにかかわらず、スマートメータリングのためにまたはスマートグリッドネットワークにおいて使用され得る。そのようなデバイスは、センサー適用例を与えるか、またはホームオートメーションにおいて使用され得る。デバイスは、代わりにまたは追加として、ヘルスケアコンテキストにおいて、たとえばパーソナルヘルスケアのために使用され得る。それらのデバイスはまた、（たとえばホットスポットとともに使用するための）拡張された範囲のインターネット接続性を可能にするために、またはマシンツーマシン通信を実装するために、監視のために使用され得る。
【００１８】
[0024]図１は、本開示の態様が採用され得る、例示的なワイヤレス通信システム１００を示す。ワイヤレス通信システム１００は、ワイヤレス規格、たとえば８０２．１１規格に（または将来の８０２．１１規格に）従って動作し得る。ワイヤレス通信システム１００は、ＳＴＡ（たとえば、ＳＴＡ１１２、１１４、１１６、および１１８）と通信するＡＰ１０４を含み得る。
【００１９】
[0025]様々なプロセスおよび方法は、ＡＰ１０４とＳＴＡとの間の、ワイヤレス通信システム１００における送信のために使用され得る。たとえば、信号は、ＯＦＤＭ／ＯＦＤＭＡ技法に従って、ＡＰ１０４とＳＴＡとの間で送信および受信され得る。そうである場合、ワイヤレス通信システム１００はＯＦＤＭ／ＯＦＤＭＡシステムと呼ばれることがある。代替的に、信号は、ＣＤＭＡ技法に従って、ＡＰ１０４とＳＴＡとの間で送信および受信され得る。そうである場合、ワイヤレス通信システム１００はＣＤＭＡシステムと呼ばれることがある。
【００２０】
[0026]ＡＰ１０４からＳＴＡのうちの１つまたは複数への送信を可能にする通信リンクはダウンリンク（ＤＬ）１０８と呼ばれることがあり、ＳＴＡのうちの１つまたは複数からＡＰ１０４への送信を可能にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。いくつかの態様では、ＤＬ通信は、ユニキャストまたはマルチキャストトラフィック指示を含み得る。
【００２１】
[0027]ＡＰ１０４は、いくつかの態様では、ＡＰ１０４が、著しいアナログデジタル変換（ＡＤＣ）クリッピング雑音を引き起こすことなしに、同時に２つ以上のチャネル上でＵＬ通信を受信し得るように、隣接チャネル干渉（ＡＣＩ）を抑制し得る。ＡＰ１０４は、たとえば、各チャネルについて別々の有限インパルス応答（ＦＩＲ）フィルタを有すること、または増大されたビット幅をもつより長いＡＤＣバックオフ期間を有することによって、ＡＣＩの抑制を改善し得る。
【００２２】
[0028]ＡＰ１０４は、基地局として働き、基本サービスエリア（ＢＳＡ）１０２においてワイヤレス通信カバレージを与え得る。ＢＳＡ（たとえば、ＢＳＡ１０２）は、ＡＰ（たとえば、ＡＰ１０４）のカバレージエリアである。ＡＰ１０４は、ＡＰ１０４に関連付けられ、通信のためにＡＰ１０４を使用するＳＴＡとともに、基本サービスセット（ＢＳＳ）と呼ばれることがある。ワイヤレス通信システム１００は、中央ＡＰ（たとえば、ＡＰ１０４）を有しないことがあり、むしろ、ＳＴＡ間のピアツーピアネットワークとして機能し得ることに留意されたい。したがって、本明細書で説明されるＡＰ１０４の機能は、ＳＴＡのうちの１つまたは複数によって代替的に実行され得る。
【００２３】
[0029]ＡＰ１０４は、ダウンリンク１０８などの通信リンクを介して、ワイヤレス通信システム１００の他のノード（ＳＴＡ）にビーコン信号（または単に「ビーコン」）を、１つまたは複数のチャネル（たとえば、各チャネルが周波数帯域幅を含む、複数の狭帯域チャネル）上で送信し得、ビーコン信号は、他のノード（ＳＴＡ）がそれらのタイミングをＡＰ１０４と同期させるのを助け得るか、あるいは他の情報または機能を与え得る。そのようなビーコンは周期的に送信され得る。一態様では、連続送信間の期間はスーパーフレームと呼ばれることがある。ビーコンの送信は、いくつかのグループまたは間隔に分割され得る。一態様では、ビーコンは、限定はしないが、共通クロックを設定するためのタイムスタンプ情報、ピアツーピアネットワーク識別子、デバイス識別子、能力情報、スーパーフレーム持続時間、送信方向情報、受信方向情報、ネイバーリスト、および／または拡張ネイバーリストなどの情報を含み得、それらのうちのいくつかが、以下でさらに詳細に説明される。したがって、ビーコンは、いくつかのデバイスの間で共通である（たとえば、共有される）とともに所与のデバイスに固有である、情報を含み得る。
【００２４】
[0030]いくつかの態様では、ＳＴＡ（たとえば、ＳＴＡ１１４）は、ＡＰ１０４に通信を送るために、および／またはＡＰ１０４から通信を受信するために、ＡＰ１０４に関連付けることを必要とされ得る。一態様では、関連付けるための情報が、ＡＰ１０４によってブロードキャストされるビーコン中に含まれる。そのようなビーコンを受信するために、ＳＴＡ１１４は、たとえば、カバレージ領域にわたって広カバレージ探索を実行し得る。また、探索は、ＳＴＡ１１４が、たとえば、灯台方式（lighthouse fashion）でカバレージ領域を掃引することによって実行され得る。関連付けるための情報を受信した後に、ＳＴＡ１１４は、関連付けプローブまたは要求などの基準信号をＡＰ１０４に送信し得る。いくつかの態様では、ＡＰ１０４は、たとえば、インターネットまたは公衆交換電話網（ＰＳＴＮ）などのより大きいネットワークと通信するために、バックホールサービスを使用し得る。
【００２５】
[0031]一態様では、ＡＰ１０４は、様々な機能を実行するための１つまたは複数の構成要素を含み得る。たとえば、ＡＰ１０４は、カラー情報に基づいて、送信することを控えることに関係するプロシージャを実行するために、通信延期構成要素（communication deferral component）１２４を含み得る。この例では、通信延期構成要素１２４は、第２のワイヤレスデバイスからデータ確認メッセージを受信するように構成され得る。データ確認メッセージは、第２のワイヤレスデバイスが、第２のワイヤレスデバイスに送信されたデータを正常に受信したかどうかを示し得る。通信延期構成要素１２４は、受信されたデータ確認メッセージがＯＢＳＳから受信されたかどうかを決定するように構成され得る。ＯＢＳＳは、第１のワイヤレスデバイスに関連付けられた第２のＢＳＳとは異なる第１のＢＳＳであり得る。通信延期構成要素１２４は、受信されたデータ確認メッセージがＯＢＳＳから受信されたかどうかの決定に基づいて、送信することを控えるべきかどうかを決定するように構成され得る。
【００２６】
[0032]別の態様では、ＳＴＡ１１４は、様々な機能を実行するための１つまたは複数の構成要素を含み得る。たとえば、ＳＴＡ１１４は通信延期構成要素１２６を含み得る。この例では、通信延期構成要素１２６は、第２のワイヤレスデバイスからデータ確認メッセージを受信するように構成され得る。データ確認メッセージは、第２のワイヤレスデバイスが、第２のワイヤレスデバイスに送信されたデータを正常に受信したかどうかを示し得る。通信延期構成要素１２６は、受信されたデータ確認メッセージがＯＢＳＳから受信されたかどうかを決定するように構成され得る。ＯＢＳＳは、第１のワイヤレスデバイスに関連付けられた第２のＢＳＳとは異なる第１のＢＳＳであり得る。通信延期構成要素１２６は、受信されたデータ確認メッセージがＯＢＳＳから受信されたかどうかの決定に基づいて、送信することを控えるべきかどうかを決定するように構成され得る。
【００２７】
[0033]ワイヤレスネットワークにおける再利用を増加させるために、ワイヤレスネットワーク内のワイヤレスデバイスは、ＯＢＳＳから来る送信の上で送信し、（ＢＳＳ内（in-BSS）としても知られる）同じＢＳＳから来る送信の上で送信することを控え得る。ワイヤレスデバイスが、送信が、ワイヤレスデバイスと同じＢＳＳからのものであるのかＯＢＳＳからのものであるのかを決定することを可能にするために、送信されるパケットは、パケットがそこから発信したＢＳＳを識別するカラーコード／情報を含み得る。カラーコード／情報は、ＢＳＳ識別子（ＢＳＳＩＤ）、または部分ＢＳＳＩＤ、または別の識別子（たとえば、６ビット識別子）であり得る。ワイヤレスデバイスが、カラー情報をもつパケットを受信したとき、ワイヤレスデバイスは、そのパケットが、ワイヤレスデバイスと同じＢＳＳに関連付けられるかどうか、またはそのパケットがＯＢＳＳに関連付けられるかどうかを決定し得る。いくつかの事例では、送信要求（ＲＴＳ：request to send）メッセージ、送信可（ＣＴＳ：clear to send）メッセージ、およびデータメッセージなど、ワイヤレスネットワーク中のいくつかのメッセージは、カラー情報を含み得る。しかしながら、データ確認メッセージ（たとえば、ＡＣＫ／ＮＡＣＫメッセージ）は、カラー情報を含まないことがある。その結果、データ確認メッセージを受信するワイヤレスデバイスは、データ確認メッセージがＯＢＳＳから発信するときでも、延期し得る。いくつかの事例では、データ確認メッセージは長いことがある（たとえば、低い変調およびコーディング方式（ＭＣＳ）において送られるブロック肯定応答またはマルチユーザ肯定応答）。カラー情報がなければ、データ確認メッセージは、ＯＢＳＳから発信したメッセージに不要な延期（たとえば、送信することを控えること）を引き起こし得る。したがって、ワイヤレスデバイスが、どのＢＳＳからパケットが発信したかを決定し、パケットに関連付けられたＢＳＳに基づいて通信を延期すべきかどうかを決定することを可能にするために、ＡＣＫおよびＮＡＣＫパケットなど、データ確認パケットにカラー情報を追加する必要がある。
【００２８】
[0034]図２は、カラー情報をもつデータ確認メッセージを利用するワイヤレスネットワークの例示的な図２００である。図２００は、第１のＳＴＡ２０４と第２のＳＴＡ２０８とに関連付けられた第１のＡＰ２０２を示す。第１のＡＰ２０２、第１のＳＴＡ２０４、および第２のＳＴＡ２０８は、第１のＢＳＳ２０６に関連付けられ得る。図２はまた、第３のＳＴＡ２１２と第４のＳＴＡ２２０とに関連付けられた第２のＡＰ２１０を示す。第２のＡＰ２１０、第３のＳＴＡ２１２、および第４のＳＴＡ２２０は、第２のＢＳＳ２２２に関連付けられ得る。図２では、第１のＳＴＡ２０４および第２のＳＴＡ２０８が通信するために第１のＡＰ２０２を使用し得る（たとえば、第１のＡＰ２０２が第１のＳＴＡ２０４および第２のＳＴＡ２０８をサービスする）ので、第１のＳＴＡ２０４および第２のＳＴＡ２０８は、第１のＡＰ２０２と同じＢＳＳ中にある。第２のＢＳＳ２２２から送信されたメッセージが、第１のＢＳＳ２０６中のワイヤレスデバイス（たとえば、第１のＡＰ２０２または第１のＳＴＡ２０４）によって受信され得るので、第２のＢＳＳ２２２は、第１のＢＳＳ２０６に関するＯＢＳＳと見なされ得る。
【００２９】
[0035]図２を参照すると、第３のＳＴＡ２１２は第２のＡＰ２１０と通信していることがある。たとえば、第３のＳＴＡ２１２は、第２のＡＰ２１０にデータパケットを送信していることがあり、その逆も同様である。第２のＡＰ２１０からデータパケットを受信したことに応答して、第３のＳＴＡ２１２は第１のデータ確認メッセージ２１４を送信し得る。第１のデータ確認メッセージ２１４は、第３のＳＴＡ２１２が第２のＡＰ２１０からデータを正常に受信したかどうかに応じて、肯定応答（ＡＣＫ）または否定応答（ＮＡＣＫ）であり得る。第１のＢＳＳ２０６中のワイヤレスデバイスと第２のＢＳＳ２２２中のワイヤレスデバイスとの間の近接度（たとえば、２０フィート未満）のために、第１のＳＴＡ２０４は、第３のＳＴＡ２１２によって送信された第１のデータ確認メッセージ２１４を受信し得る。第１のデータ確認メッセージ２１４を受信すると、第１のＳＴＡ２０４は、第１のＳＴＡ２０４が、第１のデータ確認メッセージ２１４に基づいて通信を延期する（たとえば、送信することを控えるか、または後の時間期間において送信する）べきであるかどうかを知ることを希望し得る。そのような決定を行うために、第１のＳＴＡ２０４は、第１のデータ確認メッセージ２１４が第１のＢＳＳ２０６からのものであるのか第１のＳＴＡ２０４に関連付けられない異なるＢＳＳ（たとえば、第２のＢＳＳ２２２）からのものであるのかを決定し得る。
【００３０】
[0036]第１のＳＴＡ２０４は、（ｉ）第１のデータ確認メッセージ２１４中の異なるフィールド中のプリアンブルおよび／または情報、ならびに／あるいは（ｉｉ）誰が第１のデータ確認メッセージ２１４の送信機であるのかに応じて、どのＢＳＳから第１のデータ確認メッセージ２１４が発信したかを決定するための様々な方法を有し得る。一構成では、第１のデータ確認メッセージ２１４は、第１のデータ確認メッセージ２１４に関連付けられたＢＳＳＩＤまたはカラー情報を有するプリアンブルを含み得る。ＢＳＳＩＤまたはカラー情報は、どのＢＳＳから第１のデータ確認メッセージ２１４が発信したかを識別し得る。第１のデータ確認メッセージ２１４を受信すると、第１のＳＴＡ２０４は、第１のデータ確認メッセージ２１４が、第１のデータ確認メッセージ２１４がそれから発信したＢＳＳＩＤを示すプリアンブルを含むかどうかを決定し得る。プリアンブルがＢＳＳＩＤを含む場合、第１のＳＴＡ２０４は、そのＢＳＳＩＤが第１のＢＳＳ２０６のためのＢＳＳＩＤと同じであるかどうかを決定し得る。そのＢＳＳＩＤが第１のＢＳＳ２０６のＢＳＳＩＤと同じである場合、第１のＳＴＡ２０４は、媒体を使用している同じＢＳＳ内の別のワイヤレスデバイスへの干渉を低減するために、少なくとも第１のデータ確認メッセージ２１４の持続時間の間、送信することを控え得る。第１のデータ確認メッセージ２１４の持続時間は、第１のデータ確認メッセージ２１４の長さフィールド中の値に基づいて決定され得る。対照的に、そのＢＳＳＩＤが第１のＢＳＳ２０６のＢＳＳＩＤとは異なる場合、第１のＳＴＡ２０４は、第１のデータ確認メッセージ２１４の持続時間中にデータおよび／または制御情報を送信し得る。第１のＳＴＡ２０４からの送信によりＯＢＳＳに引き起こされる干渉は最小であり得るので、第１のＳＴＡ２０４は、ＯＢＳＳからのデータ確認メッセージまで延期しないことがある。さらに、ＯＢＳＳデータ確認メッセージのために通信を延期しないことによって、第１のＳＴＡ２０４は、第１のＳＴＡ２０４がデータおよび／または制御情報を送信するためのより多くの機会を有するので、媒体再利用を増加させる。
【００３１】
[0037]別の構成では、ＢＳＳＩＤまたはカラー情報は、プリアンブルではなく（またはそれに加えて）媒体アクセス制御（ＭＡＣ）ヘッダ中で与えられ得る。一態様では、第１のデータ確認メッセージ２１４は、ブロックデータ確認メッセージ（たとえば、ブロックＡＣＫ）またはマルチユーザ（ＭＵ）肯定応答メッセージ（たとえば、ＭＵ  ＡＣＫ）であり得る。ブロックデータ確認メッセージは、１つまたは複数のデータパケットがワイヤレスデバイス（たとえば、第３のＳＴＡ２１２）によって正常に受信されたかどうかを示し得る。マルチユーザ肯定応答メッセージは、１つまたは複数のワイヤレスデバイス（たとえば、第３のＳＴＡ２１２および第４のＳＴＡ２２０）がデータパケットを正常に受信したかどうかを示し得る。また、複数のＳＴＡ（たとえば、第３のＳＴＡ２１２および第４のＳＴＡ２２０）からのパケットの受信に肯定応答するマルチユーザ肯定応答が、ＡＰ（たとえば、第２のＡＰ２１０）から送られ得る。ブロックデータ確認メッセージとＭＵデータ確認メッセージの両方は、送信機アドレスフィールドと受信機アドレスフィールドとを含み得る。送信機アドレスフィールドは、第１のデータ確認メッセージ２１４の送信機（または送信側）のアドレスを含み得る。受信機アドレスフィールドは、第１のデータ確認メッセージ２１４の意図された受信側のアドレスを含み得る。第１のデータ確認メッセージ２１４は第３のＳＴＡ２１２によって送信されるので、受信機アドレスフィールドは第２のＡＰ２１０のアドレスを含み得る。第２のＡＰ２１０のアドレスを使用することによって、第１のＳＴＡ２０４は、第１のデータ確認メッセージ２１４が、ＯＢＳＳである第２のＢＳＳ２２２から発信したと決定し得る。その結果、第１のＳＴＡ２０４は、データを送信することを控えない（たとえば、通信を延期しない）ことがあり、これは媒体再利用を増加させる。対照的に、第１のデータ確認メッセージ２１４がＢＳＳ内であった（たとえば、第１のＢＳＳ２０６から発信していた）場合、第１のＳＴＡ２０４は、第１のＢＳＳ２０６内で干渉を引き起こさないように、送信することを控え得る。この態様では、第１のデータ確認メッセージ２１４がＳＴＡによって送信されたので、送信機アドレスフィールドは第３のＳＴＡ２１２に関連付けられたアドレスを含み得るが、そのアドレスは、単独で、第１のＳＴＡ２０４が、第１のデータ確認メッセージ２１４がＢＳＳ内であるのかＯＢＳＳであるのかを決定することを可能にしないことがある。したがって、第１のデータ確認メッセージ２１４がＳＴＡによって送信されたとき、受信機アドレスフィールドは、第１のデータ確認メッセージ２１４がＯＢＳＳから受信されたかどうかの指示を与え得るが、送信機アドレスフィールドは、その指示を与えないことがある。しかしながら、以下でさらに説明されるように、ＡＰがデータ確認メッセージを送信した場合、送信機アドレスフィールドは、データ確認メッセージがＯＢＳＳから受信されたかどうかを決定するために使用され得る。また以下で説明されるように、受信機アドレスフィールドが、データ確認メッセージに関連付けられた（たとえば、受信機アドレスに加えて）ＢＳＳＩＤを含む場���、受信機アドレスフィールドは、データ確認メッセージがＯＢＳＳから受信されたかどうかを決定するために使用され得る。
【００３２】
[0038]別の態様では、第１のデータ確認メッセージ２１４は、シングルパケットおよびシングルユーザデータ確認メッセージである（たとえば、ブロックデータ確認メッセージでなく、マルチユーザデータ確認メッセージでない）ことがあり、カラー情報を含む（たとえば、ＭＡＣヘッダ中の）受信機アドレスフィールドを含み得る。受信機アドレスフィールドは、第１のデータ確認メッセージ２１４の意図された受信側に対応するアドレスを含み得る。一事例では、第１のデータ確認メッセージ２１４の受信機アドレスフィールドは第２のＡＰ２１０のアドレスを含み得る。別の事例では、第１のデータ確認メッセージ２１４の受信機アドレスフィールドの１つまたは複数のビットは、（たとえば、意図された受信側のアドレスに加えて）第２のＢＳＳ２２２のＢＳＳＩＤを含み得る。第１のデータ確認メッセージ２１４がＢＳＳＩＤを含むとき、第１のデータ確認メッセージ２１４のフレーム制御フィールド中の１つまたは複数のビットは、受信機アドレスフィールドがＢＳＳＩＤを含むことを示し得る。代替的に、第３のＳＴＡ２１２と第２のＡＰ２１０とは、ネゴシエートし、受信機アドレスフィールドがＢＳＳＩＤを含むべきであると決定し得る。いずれの事例でも、第１のデータ確認メッセージ２１４の受信機アドレスフィールドは、第１のＳＴＡ２０４が、第１のデータ確認メッセージ２１４が第２のＢＳＳ２２２に関連付けられると決定することを可能にし得る。第１のデータ確認メッセージ２１４が、（ＯＢＳＳである）第２のＢＳＳ２２２に関連付けられるという決定に基づいて、第１のＳＴＡ２０４は、通信を延期しないことがあり、したがって、送信のためにバッファされたメッセージを送信することを進め得る。対照的に、第１のデータ確認メッセージ２１４が第１のＢＳＳ２０６に関連付けられる（たとえば、第２のＳＴＡ２０８から第１のＳＴＡ２０４へのデータ確認メッセージ）場合、第１のＳＴＡ２０４は、媒体を使用している同じＢＳＳ内の別のワイヤレスデバイスへの干渉を低減するために、少なくとも第１のデータ確認メッセージ２１４の持続時間の間、送信することを控え得る。
【００３３】
[0039]別の態様では、第１のデータ確認メッセージ２１４は、シングルパケットおよびシングルユーザデータ確認メッセージである（たとえば、ブロックデータ確認メッセージでなく、マルチユーザデータ確認メッセージでない）ことがあり、第１のデータ確認メッセージ２１４の送信機（または送信側）に対応するアドレスを含む（たとえば、ＭＡＣヘッダ中の）追加の送信機アドレスフィールドを含み得る（送信機アドレスフィールドは８０２．１１ＡＣＫメッセージ中にないことがある）。送信機アドレスフィールドは、ＢＳＳＩＤサブフィールドをも含み、したがって、ＢＳＳＩＤ（または部分ＢＳＳＩＤ）を含み得る。送信機アドレスフィールドと受信機アドレスフィールドの両方が、第１のデータ確認メッセージ２１４中にある場合、第１のデータ確認メッセージ２１４を受信するワイヤレスデバイスは、第１のデータ確認メッセージ２１４に関連付けられたＢＳＳを見分け得る。第１のデータ確認メッセージ２１４は、送信機アドレスフィールドが第１のデータ確認メッセージ２１４中に含まれ、および／または送信機アドレスフィールドがＢＳＳＩＤを含むことを示す、フレーム制御フィールド中の１つまたは複数のビットを含み得る。しかしながら、図２では、第１のデータ確認メッセージ２１４の送信機は第３のＳＴＡ２１２である。送信機アドレスフィールドが第３のＳＴＡ２１２のアドレスのみを含んだ場合、送信機アドレスフィールドは、第１のＳＴＡ２０４が、第１のデータ確認メッセージ２１４がＯＢＳＳから発信したかどうかを決定することを可能にしないことがある。しかしながら、送信機アドレスフィールドがＢＳＳＩＤをも含んだ場合、送信機アドレスフィールドは、第１のＳＴＡ２０４が、第１のデータ確認メッセージ２１４がＯＢＳＳから発信したかどうかを決定することを可能にする。一態様では、第１のデータ確認メッセージ２１４の受信機アドレスフィールドが第２のＡＰ２１０のアドレスをすでに含むので、ＢＳＳＩＤは、第１のデータ確認メッセージ２１４がＢＳＳ内であるのかＯＢＳＳであるのかを決定するために必要とされないことがある。とはいえ、送信機アドレスフィールド中にＢＳＳＩＤを含めることは、データ確認メッセージがＯＢＳＳであるのかＢＳＳ内であるのかを決定するための追加の（または代替の）方法を与える。
【００３４】
[0040]要するに、データ確認メッセージがＳＴＡによって送信されたとき、ワイヤレスデバイスは、プリアンブル、（ＡＰのアドレスを示し得る）受信機アドレスフィールド、および／または（カラー情報を含み得る）送信機アドレスフィールドに基づいて、データ確認メッセージがＢＳＳ内であるのかＯＢＳＳであるのかを決定し得る。
【００３５】
[0041]再び図２を参照すると、第３のＳＴＡ２１２と第２のＡＰ２１０との間の通信の結果として、第２のＡＰ２１０は、第３のＳＴＡ２１２からデータメッセージを受信し得る。応答して、第２のＡＰ２１０は、第３のＳＴＡ２１２に第２のデータ確認メッセージ２１６を送信し得る。第２のデータ確認メッセージ２１６は、第２のＡＰ２１０が第３のＳＴＡ２１２からデータを正常に受信したかどうかに応じて、ＡＣＫまたはＮＡＣＫであり得る。第１のＢＳＳ２０６中のワイヤレスデバイスと第２のＢＳＳ２２２中のワイヤレスデバイスとの間の近接度（たとえば、２０フィート未満）のために、第１のＳＴＡ２０４は、第２のデータ確認メッセージ２１６を受信し得る。第２のデータ確認メッセージ２１６を受信すると、第１のＳＴＡ２０４は、第２のデータ確認メッセージ２１６が第１のＢＳＳ２０６からのものであるのか第１のＳＴＡ２０４に関連付けられない異なるＢＳＳ（たとえば、第２のＢＳＳ２２２）からのものであるのかを決定し得る。
【００３６】
[0042]第１のＳＴＡ２０４は、どのＢＳＳから第２のデータ確認メッセージ２１６が発信したかを決定するための様々な方法を有し得る。一構成では、第２のデータ確認メッセージ２１６は、第２のデータ確認メッセージ２１６に関連付けられたＢＳＳＩＤまたはカラー情報を示すプリアンブルを含み得る。第１のＳＴＡ２０４は、第２のデータ確認メッセージ２１６が、第２のデータ確認メッセージ２１６がそれから発信したＢＳＳＩＤを示すプリアンブルを含むかどうかを決定し得る。プリアンブルがＢＳＳＩＤを含む場合、第１のＳＴＡ２０４は、そのＢＳＳＩＤが第１のＢＳＳ２０６のためのＢＳＳＩＤと同じであるかどうかを決定し得る。そのＢＳＳＩＤが第１のＢＳＳ２０６のＢＳＳＩＤと同じである場合、第１のＳＴＡ２０４は、媒体を使用している同じＢＳＳ内の別のワイヤレスデバイスへの干渉を低減するために、少なくとも第２のデータ確認メッセージ２１６の持続時間の間、送信することを控え得る。対照的に、そのＢＳＳＩＤが第１のＢＳＳ２０６のＢＳＳＩＤとは異なる場合、第１のＳＴＡ２０４は、第２のデータ確認メッセージ２１６の持続時間中にデータおよび／または制御情報を送信し得る。第１のＳＴＡ２０４からの送信によりＯＢＳＳに引き起こされる干渉は最小であり得るので、第１のＳＴＡ２０４は、ＯＢＳＳからのデータ確認メッセージまで延期しないことがある。さらに、ＯＢＳＳデータ確認メッセージのために通信を延期しないことによって、第１のＳＴＡ２０４は、第１のＳＴＡ２０４がデータおよび／または制御情報を送信するためのより多くの機会を有するので、媒体再利用を増加させる。
【００３７】
[0043]別の構成では、ＢＳＳＩＤまたはカラー情報は、プリアンブルではなく（またはそれに加えて）ＭＡＣヘッダ中で与えられ得る。一態様では、第２のデータ確認メッセージ２１６は、ブロックデータ確認メッセージ（たとえば、ブロックＡＣＫ）であり得る。ブロックデータ確認メッセージは、送信機アドレスフィールドと受信機アドレスフィールドとを含み得る。受信機アドレスフィールドは、第３のＳＴＡ２１２のアドレスであり得る、第２のデータ確認メッセージ２１６の意図された受信側のアドレスを含み得る。しかしながら、第３のＳＴＡ２１２のアドレスは、第１のＳＴＡ２０４が、第２のデータ確認メッセージ２１６がＯＢＳＳから受信されたかどうかを決定することを可能にしないことがある。送信機アドレスフィールドは、第２のデータ確認メッセージ２１６がＯＢＳＳから受信されたかどうかを決定するために使用され得る。送信機アドレスフィールドは、第２のデータ確認メッセージ２１６の送信機（または送信側）（たとえば、第２のＡＰ２１０）のアドレスを含み得る。第２のデータ確認メッセージ２１６は第２のＡＰ２１０によって送信されるので、送信機アドレスフィールドは第２のＡＰ２１０のアドレスを含み得る。第２のＡＰ２１０のアドレスに基づいて、第１のＳＴＡ２０４は、第２のデータ確認メッセージ２１６がＯＢＳＳから受信され、したがって、通信延期が必要とされないと決定し得る。
【００３８】
[0044]別の態様では、第２のデータ確認メッセージ２１６は、シングルパケットおよびシングルユーザに関連付けられる（たとえば、ブロックデータ確認メッセージでなく、マルチユーザデータ確認メッセージでない）ことがあり、カラー情報を含む（たとえば、ＭＡＣヘッダ中の）受信機アドレスフィールドを含み得る。受信機アドレスフィールドは、この場合、第３のＳＴＡ２１２である、第２のデータ確認メッセージ２１６の意図された受信側に対応するアドレスを含み得る。しかしながら、第３のＳＴＡ２１２のアドレスは、第１のＳＴＡ２０４が、第２のデータ確認メッセージ２１６がＯＢＳＳから発信したかどうかを決定することを可能にしないことがある。したがって、ＢＳＳＩＤは、受信機アドレスフィールドがアドレスとＢＳＳＩＤとを含み得るように、（たとえば、第２のデータ確認メッセージ２１６が第２のＡＰ２１０によって送信されたとき）受信機アドレスフィールドに挿入され得る。一態様では、受信機アドレスフィールド内のいくつかのビットは、ＢＳＳＩＤのためにまたはカラー情報のために割り振られ得る。一態様では、第２のデータ確認メッセージ２１６のフレーム制御フィールド中の１つまたは複数のビットは、第２のデータ確認メッセージ２１６が受信機アドレスフィールド中のＢＳＳＩＤまたはカラー情報を有することを示すために使用され得る。別の態様では、第２のＡＰ２１０と第３のＳＴＡ２１２（および第２のＡＰ２１０に関連付けられた他のＳＴＡ）とは、データ確認メッセージを送る前にネゴシエートし、受信機アドレスフィールド中にＢＳＳＩＤを含めることに同意し得る。第２のデータ確認メッセージ２１６中に含まれるＢＳＳＩＤ／カラー情報を使用することによって、第１のＳＴＡ２０４は、第２のデータ確認メッセージ２１６が、ＯＢＳＳである第２のＢＳＳ２２２から発信したと決定し得る。その結果、第１のＳＴＡ２０４は、データを送信することを控えない（たとえば、通信を延期しない）ことがあり、これは媒体再利用を増加させる。対照的に、第２のデータ確認メッセージ２１６がＢＳＳ内であった（たとえば、第１のＢＳＳ２０６から発信していた）場合、第１のＳＴＡ２０４は、第１のＢＳＳ２０６内で干渉を引き起こさないように、送信することを控え得る。
【００３９】
[0045]別の態様では、第２のデータ確認メッセージ２１６は、シングルパケットおよびシングルユーザに関連付けられる（たとえば、ブロックデータ確認メッセージでなく、マルチユーザデータ確認メッセージでない）ことがあり、第２のデータ確認メッセージ２１６の送信機（または送信側）に対応するアドレスを含む（たとえば、ＭＡＣヘッダ中の）送信機アドレスフィールドを含み得る。送信機アドレスフィールドは、ＢＳＳＩＤサブフィールドをも含み、したがって、ＢＳＳＩＤ（またはカラー情報または部分ＢＳＳＩＤ）を含み得る。第２のデータ確認メッセージ２１６は、送信機アドレスフィールドが第２のデータ確認メッセージ２１６中に含まれ、および／または送信機アドレスフィールドがＢＳＳＩＤを含むことを示す、フレーム制御フィールド中の１つまたは複数のビットを含み得る。第２のデータ確認メッセージ２１６の送信機アドレスフィールドは第２のＡＰ２１０に関連付けられるので、送信機アドレスフィールドは、第１のＳＴＡ２０４が、第２のデータ確認メッセージ２１６がＯＢＳＳから発信したかどうかを決定することを可能にし得る。その上、送信機アドレスフィールドがＢＳＳＩＤをも含んだ場合、ＢＳＳＩＤも、第１のＳＴＡ２０４が、第２のデータ確認メッセージ２１６がＯＢＳＳから発信したかどうかを決定することを可能にするであろう。
【００４０】
[0046]要するに、データ確認メッセージがＡＰによって送信されたとき、ワイヤレスデバイスは、プリアンブル、（カラー情報を含み得る）受信機アドレスフィールド、および／または（ＡＰのアドレスを含み得る）送信機アドレスフィールドに基づいて、データ確認メッセージがＢＳＳ内であるのかＯＢＳＳであるのかを決定し得る。
【００４１】
[0047]再び図２を参照すると、第１のＡＰ２０２と第１のＳＴＡ２０４とは通信していることがある。第１のＳＴＡ２０４は、第１のＡＰ２０２からデータメッセージを受信し得る。第１のＳＴＡ２０４は、第１のＡＰ２０２に、データメッセージが第１のＳＴＡ２０４によって正常に受信されたかどうかを示す第３のデータ確認メッセージ２１８を送信し得る。第３のデータ確認メッセージ２１８は、第２のＳＴＡ２０８および第４のＳＴＡ２２０によって受信され得る。第２のＳＴＡ２０８は第１のＳＴＡ２０４と同じＢＳＳ（たとえば、第１のＢＳＳ２０６）中にあり得るが、第４のＳＴＡ２２０は異なるＢＳＳ（たとえば、第２のＢＳ２２２）中にあり得る。一態様では、第３のデータ確認メッセージ２１８は、第２のＳＴＡ２０８および第４のＳＴＡ２２０が、第３のデータ確認メッセージ２１８が送信されている間に送信することを控えるべきかどうかを決定することを可能にし得る。一態様では、第３のデータ確認メッセージ２１８はブロックＡＣＫ／ＮＡＣＫまたはＭＵ  ＡＣＫ／ＮＡＣＫであり得る（データ確認メッセージは、ＡＰがＢＳＳ中の他のＳＴＡにもデータメッセージを送った場合、マルチユーザであり得る）。別の態様では、第３のデータ確認メッセージ２１８は、受信機アドレスフィールド中のＢＳＳＩＤまたはカラー情報を含み得る。この態様では、第３のデータ確認メッセージ２１８は、ＢＳＳＩＤが受信機アドレスフィールド中に含まれるかどうかを示す、フレーム制御フィールド中の１つまたは複数のビットを含み得る。代替的に、ＢＳＳＩＤまたはカラー情報が受信機アドレスフィールド中に含まれるかどうかは、第１のＳＴＡ２０４と第１のＡＰ２０２との間で事前ネゴシエートされ得る。また別の態様では、第３のデータ確認メッセージ２１８は、送信機アドレスフィールドおよび／またはＢＳＳＩＤフィールドを含み得る。この態様では、フレーム制御フィールド中の１つまたは複数のビットは、第３のデータ確認メッセージ２１８が送信機アドレスフィールドおよび／またはＢＳＳＩＤフィールドを含むことを示し得る。
【００４２】
[0048]上述の機能は第１のＳＴＡ２０４の観点から説明されたが、第１のＡＰ２０２も、送信することを控えるべきかどうかを決定するためにデータ確認メッセージ中のカラー情報を利用し得る。たとえば、第１のＡＰ２０２はデータ確認メッセージ（たとえば、第１のデータ確認メッセージ２１４または第２のデータ確認メッセージ２１６）を受信し得る。第１のＡＰ２０２は、受信されたデータ確認メッセージがＯＢＳＳから受信されたかどうかを決定し得る。第１のＡＰ２０２は、受信されたデータ確認メッセージがＯＢＳＳから受信されたかどうかの決定に基づいて、送信することを控えるべきかどうかを決定し得る。言い換えれば、上述の機能は、ＳＴＡに限定されず、ＳＴＡまたはＡＰのいずれかによって実行され得る。さらに、データ確認メッセージは、ＡＰとＳＴＡとの間の通信に関連付けられる必要がない。ワイヤレスデバイスは、デバイスツーデバイス通信において送信されたデータ確認メッセージに基づいて通信を延期し得る（たとえば、第１のＳＴＡ２０４は第２のＳＴＡ２０８にＡＣＫメッセージを送信し、ＡＣＫメッセージは第４のＳＴＡ２２０によって受信される）。
【００４３】
[0049]図３は、図１のワイヤレス通信システム１００内でカラー情報をもつデータ確認メッセージを利用し得るワイヤレスデバイス３０２の例示的な機能ブロック図を示す。ワイヤレスデバイス３０２は、本明細書で説明される様々な方法を実装するように構成され得るデバイスの一例である。たとえば、ワイヤレスデバイス３０２は、ＳＴＡ１１２、１１４、１１６、１１８、２０４、２０８、２１２、２１４のうちの１つ、またはＡＰ１０４、２０２、２１０のうちの１つを備え得る。
【００４４】
[0050]ワイヤレスデバイス３０２は、ワイヤレスデバイス３０２の動作を制御するプロセッサ３０４を含み得る。プロセッサ３０４は中央処理ユニット（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与え得る。メモリ３０６の一部は不揮発性ランダムアクセスメモリ（ＮＶＲＡＭ）をも含み得る。プロセッサ３０４は、一般に、メモリ３０６内に記憶されたプログラム命令に基づいて論理演算および算術演算を実行する。メモリ３０６中の命令は、本明細書で説明される方法を実装するために（たとえば、プロセッサ３０４によって）実行可能であり得る。
【００４５】
[0051]プロセッサ３０４は、１つまたは複数のプロセッサとともに実装された処理システムを備えるか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を実行することができる任意の他の好適なエンティティの任意の組合せを用いて実装され得る。
【００４６】
[0052]処理システムは、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含み得る。命令は、１つまたは複数のプロセッサによって実行されたとき、本明細書で説明される様々な機能を処理システムに実行させる。
【００４７】
[0053]ワイヤレスデバイス３０２はハウジング３０８をも含み得、ワイヤレスデバイス３０２は、ワイヤレスデバイス３０２とリモートデバイスとの間のデータの送信および受信を可能にするために、送信機３１０および／または受信機３１２を含み得る。送信機３１０と受信機３１２とは組み合わせられてトランシーバ３１４になり得る。アンテナ３１６は、ハウジング３０８に取り付けられ、トランシーバ３１４に電気的に結合され得る。ワイヤレスデバイス３０２は、複数の送信機、複数の受信機、複数のトランシーバ、および／または複数のアンテナをも含み得る。
【００４８】
[0054]ワイヤレスデバイス３０２は、トランシーバ３１４または受信機３１２によって受信された信号のレベルを検出および定量化するために使用され得る信号検出器３１８をも含み得る。信号検出器３１８は、そのような信号を、総エネルギー、シンボルごとのサブキャリア当たりのエネルギー、電力スペクトル密度、および他の信号として検出し得る。ワイヤレスデバイス３０２は、信号を処理する際に使用するためのＤＳＰ３２０をも含み得る。ＤＳＰ３２０は、送信のためのパケットを生成するように構成され得る。いくつかの態様では、パケットは、物理レイヤコンバージェンスプロシージャ（ＰＬＣＰ）プロトコルデータユニット（ＰＰＤＵ）を備え得る。
【００４９】
[0055]ワイヤレスデバイス３０２は、いくつかの態様ではユーザインターフェース３２２をさらに備え得る。ユーザインターフェース３２２は、キーパッド、マイクロフォン、スピーカー、および／またはディスプレイを備え得る。ユーザインターフェース３２２は、ワイヤレスデバイス３０２のユーザに情報を搬送し、および／またはそのユーザから入力を受信する、任意の要素または構成要素を含み得る。
【００５０】
[0056]ワイヤレスデバイス３０２がＳＴＡ（たとえば、ＳＴＡ１１４または第１のＳＴＡ２０４）またはＡＰ（たとえば、ＡＰ１０４または第１のＡＰ２０２）として実装されるとき、ワイヤレスデバイス３０２は通信延期構成要素３２４をも備え得る。通信延期構成要素３２４は、第２のワイヤレスデバイスからデータ確認メッセージを受信するように構成され得る。データ確認メッセージは、第２のワイヤレスデバイスが、第２のワイヤレスデバイスに送信されたデータを正常に受信したかどうかを示し得る。通信延期構成要素３２４は、受信されたデータ確認メッセージがＯＢＳＳから受信されたかどうかを決定するように構成され得る。ＯＢＳＳは、ワイヤレスデバイス３０２に関連付けられた第２のＢＳＳとは異なる第１のＢＳＳであり得る。通信延期構成要素３２４は、受信されたデータ確認メッセージがＯＢＳＳから受信されたかどうかの決定に基づいて、送信することを控えるべきかどうかを決定するように構成され得る。一構成では、受信されたデータ確認メッセージは、プリアンブル、受信機アドレスフィールド、または送信機アドレスフィールドを含み得る。この構成では、通信延期構成要素３２４は、受信されたデータ確認メッセージ中に含まれるプリアンブルがＢＳＳＩＤを示すかどうかと、示されたＢＳＳＩＤがＯＢＳＳ  ＩＤであるかどうかとを決定すること、受信されたデータ確認メッセージ中に含まれる受信機アドレスフィールドが、受信されたデータ確認メッセージがＯＢＳＳから受信されたことを示すかどうかを決定すること、または、受信されたデータ確認メッセージ中に含まれる送信機アドレスフィールドが、受信されたデータ確認メッセージがＯＢＳＳから受信されたことを示すかどうかを決定することによって、受信されたデータ確認メッセージがＯＢＳＳから受信されたかどうかを決定するように構成され得る。一態様では、受信されたデータ確認メッセージは、アクセスポイントから受信され得る。この態様では、受信機アドレスフィールドはＢＳＳＩＤを含み得、受信されたデータ確認メッセージがＯＢＳＳから受信されたかどうかの決定は、受信機アドレスフィールド中のＢＳＳＩＤに基づき得る。この態様では、受信されたデータ確認メッセージは、受信機アドレスフィールドがＢＳＳＩＤを含むかどうかを示す、フレーム制御フィールド中のインジケータを含み得る。この態様では、受信機アドレスフィールドは、ワイヤレスデバイス３０２とアクセスポイントとの間のネゴシエーションに基づくＢＳＳＩＤを含み得、そのネゴシエーションにおいて、ワイヤレスデバイス０３２とアクセスポイントとは、アクセスポイントがデータ確認メッセージを送信するとき、受信機アドレスフィールド中にＢＳＳＩＤ情報を含めることに同意する。別の構成では、送信機アドレスフィールドはＢＳＳＩＤを含み得る。この構成では、受信されたデータ確認メッセージのフレーム制御フィールド中のインジケータは、受信されたデータ確認メッセージが送信機アドレスフィールドを含むことを示し得る。この構成では、受信されたデータ確認メッセージがＯＢＳＳから受信されたかどうかの決定は、送信機アドレスフィールド中のＢＳＳＩＤに基づき得る。別の構成では、受信された���ータ確認メッセージは、ブロックデータ確認メッセージまたはマルチユーザデータ確認メッセージのうちの１つであり得る。別の構成では、通信延期構成要素３２４は、受信されたデータ確認メッセージがＯＢＳＳから受信された場合に送信することによって、および受信されたデータ確認メッセージがＯＢＳＳから受信されない場合に送信することを控えることによって、送信することを控えるべきかどうかを決定するように構成され得る。ＯＢＳＳ送信に対する非延期は、さらに、追加の制約を受け得る。別の構成では、通信延期構成要素３２４は、別のワイヤレスデバイスからデータメッセージを受信することように構成され得る。この構成では、通信延期構成要素３２４は、データメッセージがワイヤレスデバイス３０２によって正常に受信されたかどうかに基づいて、別のワイヤレスデバイスに第２のデータ確認メッセージを送信するように構成され得る。第２のデータ確認メッセージは、少なくとも１つの他のワイヤレスデバイスが、送信することを控えるべきかどうかを決定することを可能にし得る。一態様では、第２のデータ確認メッセージは、第２のプリアンブル、第２の受信機アドレスフィールド、または第２の送信機アドレスフィールドを含み得る。この態様では、第２のプリアンブル、第２の受信機アドレスフィールド、または第２の送信機アドレスフィールドのうちの少なくとも１つは、第２のデータ確認メッセージが、少なくとも１つの他のワイヤレスデバイスに関連付けられたＢＳＳとは異なるＢＳＳから送信されているかどうかを示し得る。
【００５１】
[0057]ワイヤレスデバイス３０２の様々な構成要素は、バスシステム３２６によって互いに結合され得る。バスシステム３２６は、たとえば、データバス、ならびに、データバスに加えて、電力バス、制御信号バス、およびステータス信号バスを含み得る。ワイヤレスデバイス３０２の構成要素は、何らかの他の機構を使用して、互いに結合されるか、あるいは互いに入力を受け付けるかまたは与え得る。
【００５２】
[0058]いくつかの別個の構成要素が図３に示されているが、それらの構成要素のうちの１つまたは複数は、組み合わせられるかまたは共通に実装され得る。たとえば、プロセッサ３０４は、プロセッサ３０４に関して上記で説明された機能を実装するためだけでなく、信号検出器３１８、ＤＳＰ３２０、ユーザインターフェース３２２、および／または通信延期構成要素３２４に関して上記で説明された機能を実装するためにも使用され得る。さらに、図３に示されている構成要素の各々は、複数の別個の要素を使用して実装され得る。
【００５３】
[0059]図４は、ワイヤレス通信のためにカラー情報をもつデータ確認メッセージを利用する例示的な方法４００のフローチャートである。方法４００は、装置（たとえば、ＳＴＡ１１４、ＡＰ１０４、第１のＳＴＡ２０４、第１のＡＰ２０２、または、たとえば、ワイヤレスデバイス３０２）を使用して実行され得る。方法４００は図３のワイヤレスデバイス３０２の要素に関して以下で説明されるが、本明細書で説明されるステップのうちの１つまたは複数を実装するために他の構成要素が使用され得る。
【００５４】
[0060]ブロック４０５において、第１のＢＳＳに関連付けられた装置は、第２のワイヤレスデバイスからデータ確認メッセージを受信する。データ確認メッセージは、第２のワイヤレスデバイスが、第２のワイヤレスデバイスに送信されたデータを正常に受信したかどうかを示し得る。一例では、図２を参照すると、第１のＳＴＡ２０４は、第３のＳＴＡ２１２から第１のデータ確認メッセージ２１４を受信し得る。第１のデータ確認メッセージ２１４は、第３のＳＴＡ２１２が、第３のＳＴＡ２１２に送信されたデータを正常に受信したかどうかを示し得る。別の例では、図２を参照すると、第１のＳＴＡ２０４は、第２のＡＰ２１０から第２のデータ確認メッセージ２１６を受信し得る。第２のデータ確認メッセージ２１６は、第２のＡＰ２１０が、第２のＡＰ２１０に送信されたデータを正常に受信したかどうかを示し得る。一態様では、第１のデータ確認メッセージ２１４および／または第２のデータ確認メッセージ２１６は、それぞれ、プリアンブル、受信機アドレスフィールド、および／または送信機アドレスフィールドを含み得る。
【００５５】
[0061]ブロック４１０において、装置は、受信されたデータ確認メッセージと受信されたデータ確認メッセージのＭＡＣヘッダとに基づいて、第２のワイヤレスデバイスが第１のＢＳＳに関連付けられるのか第１のＢＳＳとは異なる第２のＢＳＳに関連付けられるのかを決定する。第２のＢＳＳは、装置に関連付けられた第１のＢＳＳとは異なるＯＢＳＳであり得る。装置は、受信されたデータ確認メッセージ中に含まれるプリアンブルがＢＳＳＩＤを示すかどうかを決定すること、受信された確認メッセージ中に含まれる受信機アドレスフィールドが、受信されたデータ確認メッセージがＯＢＳＳから受信されたことを示すかどうかを決定すること、または、受信されたデータ確認メッセージ中に含まれる送信機アドレスフィールドが、受信されたデータ確認メッセージがＯＢＳＳから受信されたことを示すかどうかを決定することのうちの少なくともに基づいて、受信されたデータ確認メッセージがＯＢＳＳから受信されたかどうかを決定し得る。一態様では、受信されたデータ確認メッセージはアクセスポイントから受信され得、受信機アドレスフィールドはＢＳＳＩＤを含み得る。この態様では、受信されたデータ確認メッセージがＯＢＳＳから受信されたかどうかの決定は、受信機アドレスフィールド中のＢＳＳＩＤに基づき得る。また、この態様では、受信されたデータ確認メッセージは、受信機アドレスフィールドがＢＳＳＩＤを含むかどうかを示す、フレーム制御フィールド中のインジケータを含み得るか、または、受信機アドレスフィールド中に含まれるＢＳＳＩＤは、第２のワイヤレスデバイスとアクセスポイントとの間のネゴシエーションに基づき得る。別の態様では、送信機アドレスフィールドはＢＳＳＩＤを含み得、受信されたデータ確認メッセージのフレーム制御フィールド中のインジケータは、受信されたデータ確認メッセージが送信機アドレスフィールドを含むことを示し得、受信されたデータ確認メッセージがＯＢＳＳから受信されたかどうかの決定は、送信機アドレスフィールド中のＢＳＳＩＤに基づく。別の態様では、受信されたデータ確認メッセージは、ブロックデータ確認メッセージ（たとえば、ブロックＡＣＫ）またはＭＵデータ確認メッセージ（たとえば、ＭＵ  ＡＣＫ）のうちの１つである。この態様では、受信機アドレスと送信機アドレスの両方が存在し、リスナーが、メッセージがどのＢＳＳから受信されたかを見分けることを可能にする。
【００５６】
[0062]一例では、図２を参照すると、第１のＳＴＡ２０４は、第１のデータ確認メッセージ２１４が第２のＢＳＳ２２２から受信されたかどうかを決定し得る。第２のＢＳＳ２２２は、第１のＳＴＡ２０４に関連付けられた第１のＢＳＳ２０６とは異なるＢＳＳであり得る。第１のＳＴＡ２０４は、第１のデータ確認メッセージ２１４中に含まれるプリアンブルがＢＳＳＩＤを示すかどうかを決定することによって、第１のデータ確認メッセージ２１４が第２のＢＳＳ２２２から受信されたかどうかを決定し得る。第１のＳＴＡ２０４は、第１のデータ確認メッセージ２１４中に含まれる受信機アドレスフィールドが、第１のデータ確認メッセージ２１４がＯＢＳＳから受信されたことを示すかどうかを決定することによって、第１のデータ確認メッセージ２１４が第２のＢＳＳ２２２から受信されたかどうかを決定し得る。第１のＳＴＡ２０４は、第１のデータ確認メッセージ２１４中に含まれる送信機アドレスフィールドが、受信されたデータ確認メッセージがＯＢＳＳから受信されたことを示すかどうかを決定することによって、第１のデータ確認メッセージ２１４が第２のＢＳＳ２２２から受信されたかどうかを決定し得る。別の態様では、第２のデータ確認メッセージ２１６の送信機アドレスフィールドはＢＳＳＩＤを含み得、第１のデータ確認メッセージ２１４のフレーム制御フィールド中のインジケータは、第１のデータ確認メッセージ２１４が送信機アドレスフィールドを含むことを示し得、第１のデータ確認メッセージ２１４が第２のＢＳＳ２２２から受信されたかどうかの決定は、送信機アドレスフィールド中のＢＳＳＩＤに基づく。
【００５７】
[0063]別の例では、図２を参照すると、第１のＳＴＡ２０４は、第２のデータ確認メッセージ２１６が第２のＢＳＳ２２２から受信されたかどうかを決定し得る。第２のＢＳＳ２２２は、第１のＳＴＡ２０４に関連付けられた第１のＢＳＳ２０６とは異なるＢＳＳであり得る。第１のＳＴＡ２０４は、第２のデータ確認メッセージ２１６中に含まれるプリアンブルがＢＳＳＩＤを示すかどうかを決定することによって、第２のデータ確認メッセージ２１６が第２のＢＳＳ２２２から受信されたかどうかを決定し得る。第１のＳＴＡ２０４は、第２のデータ確認メッセージ２１６中に含まれる受信機アドレスフィールドが、第２のデータ確認メッセージ２１６がＯＢＳＳから受信されたことを示すかどうかを決定することによって、第２のデータ確認メッセージ２１６が第２のＢＳＳ２２２から受信されたかどうかを決定し得る。一態様では、第２のデータ確認メッセージ２１６は第２のＡＰ２１０から受信され得、受信機アドレスフィールドはＢＳＳＩＤを含み得る。この態様では、第２のデータ確認メッセージ２１６がＯＢＳＳから受信されたかどうかの決定は、受信機アドレスフィールド中のＢＳＳＩＤに基づき得る。また、この態様では、第２のデータ確認メッセージ２１６は、受信機アドレスフィールドがＢＳＳＩＤを含むかどうかを示す、フレーム制御フィールド中のインジケータを含み得るか、または、受信機アドレスフィールドは、第３のＳＴＡ２１２と第２のＡＰ２１０との間のネゴシエーションに基づくＢＳＳＩＤを含み得る。別の態様では、第１のＳＴＡ２０４は、第２のデータ確認メッセージ２１６中に含まれる送信機アドレスフィールドが、受信されたデータ確認メッセージがＯＢＳＳから受信されたことを示す（たとえば、送信機アドレスフィールドが第２のＡＰ２１０のアドレスを含み得る）かどうかを決定することによって、第２のデータ確認メッセージ２１６が第２のＢＳＳ２２２から受信されたかどうかを決定し得る。
【００５８】
[0064]ブロック４１５において、装置は、第２のワイヤレスデバイスが第１のＢＳＳに関連付けられるのか第１のＢＳＳとは異なる第２のＢＳＳに関連付けられるのかの決定に基づいて、第３のワイヤレスデバイスに時間期間中で送信する。たとえば、図２を参照すると、第１のＳＴＡ２０４は、第１のデータ確認メッセージ２１４が第２のＢＳＳ２２２から受信された場合、同じＢＳＳ中のデバイス（たとえば、第２のＳＴＡ２０８または第１のＡＰ２０２）に送信し得る。第１のＳＴＡ２０４は、第１のデータ確認メッセージ２１４が送信されているときの時間期間中に送信し得る。しかしながら、第１のデータ確認メッセージ２１４が第１のＢＳＳ２０６中のデバイスから受信された場合、第１のＳＴＡ２０４は、第１のデータ確認メッセージ２１４が送信された後の時間期間中で送信し得る。このプロセスは、さらに、図７に示され得る。
【００５９】
[0065]ブロック４２０において、装置は、別のワイヤレスデバイスからデータメッセージを受信する。たとえば、図２を参照すると、第１のＳＴＡ２０４は、第１のＡＰ２０２からデータメッセージを受信し得る。
【００６０】
[0066]ブロック４２５において、装置は、データメッセージが正常に受信されたかどうかに基づいて、別のワイヤレスデバイスに第２のデータ確認メッセージを送信する。第２のデータ確認メッセージは、少なくとも１つの他のワイヤレスデバイスが、送信することを控えるべきかどうかを決定することを可能にし得る。一態様では、第２のデータ確認メッセージは、第２のプリアンブル、第２の受信機アドレスフィールド、または第２の送信機アドレスフィールドを含み得る。第２のプリアンブル、第２の受信機アドレスフィールド、または第２の送信機アドレスフィールドのうちの少なくとも１つは、第２のデータ確認メッセージが、少なくとも１つの他のワイヤレスデバイスに関連付けられたＢＳＳとは異なるＢＳＳから送信されているかどうかを示し得る。たとえば、図２を参照すると、第１のＳＴＡ２０４は、第１のＡＰ２０２からデータメッセージを受信すると、第１のＡＰ２０２に第３のデータ確認メッセージ２１８を送信し得る。第３のデータ確認メッセージ２１８は、（それらの両方が第３のデータ確認メッセージ２１８を受信し得る）第２のＳＴＡ２０８および第４のＳＴＡ２２０が、送信することを控えるべきかどうかを決定することを可能にし得る。この例では、第３のデータ確認メッセージ２１８が第２のＳＴＡ２０８に関してＢＳＳ内であるので、第２のＳＴＡ２０８は送信することを控え得る。第２のＳＴＡ２０８は、第３のデータ確認メッセージ２１８のプリアンブル、受信機アドレスフィールド、および／または送信機アドレスフィールド中のＢＳＳＩＤに基づいて、第３のデータ確認メッセージ２１８がＢＳＳ内であると決定し得る。しかしながら、第３のデータ確認メッセージ２１８が第４のＳＴＡ２２０に関してＯＢＳＳから受信されるので、第４のＳＴＡ２２０は通信を延期しないことがある。
【００６１】
[0067]図５は、データ確認メッセージ中のカラー情報を利用し得る例示的なワイヤレス通信デバイス５００の機能ブロック図である。ワイヤレス通信デバイス５００は、受信機５０５と、処理システム５１０と、送信機５１５とを含み得る。処理システム５１０は通信延期構成要素５２４を含み得る。処理システム５１０、通信延期構成要素５２４、および／または受信機５０５は、第２のワイヤレスデバイスからデータ確認メッセージを受信するように構成され得る。データ確認メッセージは、第２のワイヤレスデバイスが、第２のワイヤレスデバイスに送信されたデータを正常に受信したかどうかを示し得る。処理システム５１０および／または通信延期構成要素５２４は、受信されたデータ確認メッセージがＯＢＳＳから受信されたかどうかを決定するように構成され得る。ＯＢＳＳは、ワイヤレス通信デバイス５００に関連付けられた第２のＢＳＳとは異なる第１のＢＳＳであり得る。処理システム５１０および／または通信延期構成要素５２４は、受信されたデータ確認メッセージがＯＢＳＳから受信されたかどうかの決定に基づいて、送信することを控えるべきかどうかを決定するように構成され得る。一構成では、受信されたデータ確認メッセージは、プリアンブル、受信機アドレスフィールド、または送信機アドレスフィールドを含み得る。受信されたデータ確認メッセージがＯＢＳＳから受信されたかどうかの決定は、受信されたデータ確認メッセージ中に含まれるプリアンブルがＢＳＳＩＤを示すかどうかを決定すること、受信されたデータ確認メッセージ中に含まれる受信機アドレスフィールドが、受信されたデータ確認メッセージがＯＢＳＳから受信されたことを示すかどうかを決定すること、または、受信されたデータ確認メッセージ中に含まれる送信機アドレスフィールドが、受信されたデータ確認メッセージがＯＢＳＳから受信されたことを示すかどうかを決定することのうちの少なくとも１つを含み得る。別の構成では、受信されたデータ確認メッセージはアクセスポイントから受信され得、受信機アドレスフィールドはＢＳＳＩＤを含み得る。この構成では、受信されたデータ確認メッセージがＯＢＳＳから受信されたかどうかの決定は、受信機アドレスフィールド中のＢＳＳＩＤに基づき得る。この構成では、受信されたデータ確認メッセージは、受信機アドレスフィールドがＢＳＳＩＤを含むかどうかを示す、フレーム制御フィールド中のインジケータを含み得る。一態様では、受信機アドレスフィールドは、第２のワイヤレスデバイスとアクセスポイントとの間のネゴシエーションに基づくＢＳＳＩＤを含み得る。別の構成では、送信機アドレスフィールドはＢＳＳＩＤを含み得る。この構成では、受信されたデータ確認メッセージのフレーム制御フィールド中のインジケータは、受信されたデータ確認メッセージが送信機アドレスフィールドを含むことを示し得る。この構成では、受信されたデータ確認メッセージがＯＢＳＳから受信されたかどうかの決定は、送信機アドレスフィールド中のＢＳＳＩＤに基づき得る。一構成では、受信されたデータ確認メッセージは、ブロックデータ確認メッセージまたはマルチユーザデータ確認メッセージのうちの１つであり得る。別の構成では、送信することを控えるべきかどうかの決定は、受信されたデータ確認メッセージがＯＢＳＳから受信された場合に送信することと、受信されたデータ確認メッセージがＯＢＳＳから受信されない場合に送信することを控えることとを含み得る。別の構成では、処理システム５１０、通信延期構成要素５２４、および／または受信機５０５は、別のワイヤレスデバイスからデータメッセージを受信するように構成され得る。この構成では、処理システム５１０、通信延期構成要素５２４、および／または送信機５１５は、データメッセージが正常に受信されたかどうかに基づいて、別のワイヤレスデバイスに第２のデータ確認メッセージを送信するように構成され得る。第２のデータ確認メッセージは、少なくとも１つの他のワイヤレスデバイスが、送信することを控えるべきかどうかを決定することを可能にし得る。一態様では、第２のデータ確認メッセージは、第２のプリアンブル、第２の受信機アドレスフィールド、または第２の送信機アドレスフィールドを含み得る。第２のプリアンブル、第２の受信機アドレスフィールド、または第２の送信機アドレスフィールドのうちの少なくとも１つは、第２のデータ確認メッセージが、少なくとも１つの他のワイヤレスデバイスに関連付けられたＢＳＳとは異なるＢＳＳから送信されているかどうかを示し得る。
【００６２】
[0068]受信機５０５、処理システム５１０、通信延期構成要素５２４、および／または送信機５１５は、図４のブロック４０５、４１０、４１５、４２０、および４２５に関して上記で説明された１つまたは複数の機能を実行するように構成され得る。受信機５０５は受信機３１２に対応し得る。処理システム５１０はプロセッサ３０４に対応し得る。送信機５１５は送信機３１０に対応し得る。通信延期構成要素５２４は、通信延期構成要素１２４、通信延期構成要素１２６、および／または通信延期構成要素３２４に対応し得る。
【００６３】
[0069]ワイヤレス通信デバイス５００は、第２のワイヤレスデバイスからデータ確認メッセージを受信するための手段を含み得る。データ確認メッセージは、第２のワイヤレスデバイスが、第２のワイヤレスデバイスに送信されたデータを正常に受信したかどうかを示し得る。ワイヤレス通信デバイス５００は、受信されたデータ確認メッセージと受信されたデータ確認メッセージのＭＡＣヘッダとに基づいて、第２のワイヤレスデバイスが第１のＢＳＳに関連付けられるのか第１のＢＳＳとは異なる第２のＢＳＳに関連付けられるのかを決定するための手段を含み得る。第２のＢＳＳは、第１のワイヤレスデバイスに関連付けられた第１のＢＳＳとは異なるＯＢＳＳであり得る。ワイヤレス通信デバイス５００は、第２のワイヤレスデバイスが第１のＢＳＳに関連付けられるのか第１のＢＳＳとは異なる第２のＢＳＳに関連付けられるのかの決定に基づいて、第３のワイヤレスデバイスに時間期間中で送信するための手段を含み得る。一態様では、時間期間は、第２のワイヤレスデバイスが第２のＢＳＳに関連付けられるとき、データ確認メッセージの送信中にあり得、時間期間は、第２のワイヤレスデバイスが第１のＢＳＳに関連付けられるとき、データ確認メッセージの送信の後にあり得る。別の態様では、ＭＡＣヘッダは、受信機アドレスフィールドまたは送信機アドレスフィールドを含み得る。この態様では、第２のワイヤレスデバイスが第１のＢＳＳに関連付けられるのか第２のＢＳＳに関連付けられるのかを決定するための手段は、受信されたデータ確認メッセージ中に含まれる受信機アドレスフィールドが、第２のワイヤレスデバイスが第１のＢＳＳに関連付けられることを示すのか第２のＢＳＳに関連付けられることを示すのかを決定すること、または、受信されたデータ確認メッセージ中に含まれる送信機アドレスフィールドが、第２のワイヤレスデバイスが第１のＢＳＳに関連付けられることを示すのか第２のＢＳＳに関連付けられることを示すのかを決定することのうちの少なくとも１つを実行するように構成され得る。別の態様では、受信されたデータ確認メッセージは、アクセスポイントから受信され得る。アクセスポイントは第２のワイヤレスデバイスであり得、受信機アドレスフィールドはＢＳＳＩＤを含み得る。この態様では、第２のワイヤレスデバイスが第１のＢＳＳに関連付けられるのか第２のＢＳＳに関連付けられるのかの決定は、受信機アドレスフィールド中のＢＳＳＩＤに基づき得る。別の態様では、受信されたデータ確認メッセージは、受信機アドレスフィールドがＢＳＳＩＤを含むかどうかを示す、フレーム制御フィールド中のインジケータを含み得る。別の態様では、受信機アドレスフィールドは、第２のワイヤレスデバイスと別のワイヤレスデバイスとの間のネゴシエーションに基づくＢＳＳＩＤを含み得る。別の態様では、送信機アドレスフィールドはＢＳＳＩＤを含み得、第２のワイヤレスデバイスが第１のＢＳＳに関連付けられるのか第２のＢＳＳに関連付けられるのかの決定は、送信機アドレスフィールド中のＢＳＳＩＤに基づき得る。別の構成では、ワイヤレス通信デバイス５００は、別のワイヤレスデバイスからデータメッセージを受信するための手段と、データメッセージが正常に受信されたかどうかに基づいて、別のワイヤレスデバイスに第２のデータ確認メッセージを送信するための手段とを含み得る。第２のデータ確認メッセージは、少なくとも１つの他のワイヤレスデバイスが、送信することを控えるべきかどうかを決定することを可能にする、第２のＭＡＣヘッダ中のＢＳＳＩＤを含み得る。別の態様では、第２のデータ確認メッセージは第２の受信機アドレスフィールドおよび／または第２の送信機アドレスフィールドを含み得、少なくとも１つの第２の受信機アドレスフィールドまたは第２の送信機アドレスフィールドは、第２のデータ確認メッセージが、少なくとも１つの他のワイヤレスデバイスに関連付けられたＢＳＳとは異なるＢＳＳから送信されているかどうかを示し得る。
【００６４】
[0070]たとえば、データ確認メッセージを受信するための手段は、処理システム５１０、通信延期構成要素５２４、および／または受信機５０５を含み得る。第２のワイヤレスデバイスが第１のＢＳＳに関連付けられるのか第２のＢＳＳに関連付けられるのかを決定するための手段は、処理システム５１０および／または通信延期構成要素５２４を含み得る。送信するための手段は、送信機５１５、処理システム５１０、および／または通信延期構成要素５２４を含み得る。データメッセージを受信するための手段は、処理システム５１０、通信延期構成要素５２４、および／または受信機５０５を含み得る。第２のデータ確認メッセージを送信するための手段は、処理システム５１０、通信延期構成要素５２４、および／または送信機５１５を含み得る。
【００６５】
[0071]図６は、データ確認メッセージの例示的な図６００である。データ確認メッセージ（またはフレーム）は、プリアンブル６０５とＭＡＣヘッダ６１０とを含み得る。ＭＡＣヘッダは、フレーム制御フィールド６１５、持続時間フィールド６２０、受信アドレスフィールド６２５、送信アドレスフィールド６３０、および／またはフレーム制御シーケンス（ＦＣＳ）フィールド６３５を含み得る。プリアンブル６０５は、チャネル推定を実行するための情報を含み得る。フレーム制御フィールド６１５は、フレームの機能および／またはタイプを識別し得る。持続時間フィールド６２０は、持続時間フィールド６２０に従うフレームの持続時間を（たとえば、マイクロ秒単位で）示し得る。受信アドレスフィールド６２５は、データ確認メッセージの意図された受信側を示し得る。送信アドレスフィールド６３０は、データ確認メッセージの送信機を示し得る。ＦＣＳフィールド６３５は、３２ビット巡回冗長検査（ＣＲＣ）を示し得含み得る。
【００６６】
[0072]上記の開示で説明されたように、ＢＳＳＩＤまたはカラー情報は、データ確認メッセージの様々なフィールド中に挿入され得る。一例では、ＢＳＳＩＤまたはカラー情報は、プリアンブル６０５中に挿入され得る。別の例では、ＢＳＳＩＤまたはカラー情報は、受信アドレスフィールド６２５または送信アドレスフィールド６３０中に挿入され得る。
【００６７】
[0073]図７は、カラー情報に基づいて再利用を増加させるための例示的な方法を示す図７００である。一例では、ＳＴＡ１とＳＴＡ２とは同じＢＳＳ中にあり得る。この例では、ＳＴＡ１は、ＳＴＡ２によって受信されるＡＣＫフレームを送信し得る。ＡＣＫフレーム中のＢＳＳＩＤまたはカラー情報に基づいて、ＳＴＡ２は、ＳＴＡ１がＳＴＡ２と同じＢＳＳ中にあると決定し得る。したがって、ＳＴＡ２は、ＡＣＫフレームの持続時間フィールド中で示される持続時間に基づいてネットワーク割振りベクトル（ＮＡＶ）を設定し、ＡＣＫフレームが送信された後の時間期間まで送信するのを待ち得る。一態様では、時間期間はＡＣＫフレームが送信された後、およびフレーム間スペース（ＩＦＳ）の後にあり得る。
【００６８】
[0074]別の例では、ＳＴＡ１とＳＴＡ２とはＯＢＳＳ中にあり得る。この例では、ＳＴＡ１はＡＣＫフレームを送信し得る。ＡＣＫフレーム中のＢＳＳＩＤまたはカラー情報に基づいて、ＳＴＡ２は、ＳＴＡ１がＳＴＡ２に関してＯＢＳＳ中にある、すなわち、ＳＴＡ１がＳＴＡ２とは異なるＢＳＳ中にあると決定し得る。ＳＴＡが異なるＢＳＳ中にあるとき、ＳＴＡ１がＳＴＡ２に対して過剰な干渉を引き起こす可能性が低いので、ＳＴＡ２は、ＳＴＡ１がＡＣＫフレームを送信している同じ時間期間中に送信することによって再利用を増加させ得る。
【００６９】
[0075]上記で説明された方法の様々な動作は、（１つまたは複数の）様々なハードウェアおよび／またはソフトウェア構成要素、回路、および／または（１つまたは複数の）モジュールなど、それらの動作を実行することが可能な任意の好適な手段によって実行され得る。概して、図に示されているどの動作も、その動作を実行することが可能な対応する機能的手段によって実行され得る。
【００７０】
[0076]本開示に関して説明された様々な例示的な論理ブロック、構成要素および回路は、汎用プロセッサ、ＤＳＰ、ＡＳＩＣ、ＦＰＧＡ、または他のＰＬＤ、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【００７１】
[0077]１つまたは複数の態様では、説明された機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、コンパクトディスク（ＣＤ）ＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、コンピュータ可読媒体は非一時的コンピュータ可読媒体（たとえば、有形媒体）を備える。
【００７２】
[0078]本明細書で開示された方法は、説明された方法を達成するための１つまたは複数のステップまたはアクションを備える。本方法のステップおよび／またはアクションは、特許請求の範囲から逸脱することなく、互いに交換され得る。言い換えれば、ステップまたはアクションの特定の順序が指定されていない限り、特定のステップおよび／またはアクションの順序および／または使用は、特許請求の範囲から逸脱することなく変更され得る。
【００７３】
[0079]したがって、いくつかの態様は、本明細書で提示された動作を実行するためのコンピュータプログラム製品を備え得る。たとえば、そのようなコンピュータプログラム製品は、本明細書で説明された動作を実行するために１つまたは複数のプロセッサによって実行可能である命令を記憶した（および／または符号化した）コンピュータ可読媒体を備え得る。いくつかの態様では、コンピュータプログラム製品はパッケージング材料を含み得る。
【００７４】
[0080]さらに、本明細書で説明された方法および技法を実行するための構成要素および／または他の適切な手段は、適用可能な場合にユーザ端末および／または基地局によってダウンロードされ、および／または他の方法で取得され得ることを諒解されたい。たとえば、そのようなデバイスは、本明細書で説明された方法を実行するための手段の転送を可能にするためにサーバに結合され得る。代替的に、本明細書で説明された様々な方法は、ユーザ端末および／または基地局が記憶手段（たとえば、ＲＡＭ、ＲＯＭ、ＣＤまたはフロッピーディスクなどの物理記憶媒体など）をデバイスに結合するかまたは与えると様々な方法を得ることができるように、記憶手段によって提供され得る。その上、本明細書で説明された方法および技法をデバイスに与えるための任意の他の好適な技法が利用され得る。
【００７５】
[0081]特許請求の範囲は、上記で示された厳密な構成および構成要素に限定されないことを理解されたい。上記で説明された方法および装置の構成、動作および詳細において、特許請求の範囲から逸脱することなく、様々な改変、変更および変形が行われ得る。
【００７６】
[0082]上記は本開示の態様を対象とするが、本開示の他の態様およびさらなる態様は、それの基本的範囲から逸脱することなく考案され得、それの範囲は以下の特許請求の範囲によって決定される。
【００７７】
[0083]以上の説明は、当業者が本明細書で説明された様々な態様を実施することができるようにするために提供されたものである。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本開示全体にわたって説明された様々な態様の要素のすべての構造的および機能的均等物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条（ｆ）の規定の下で解釈されるべきではない。
【図１】
2018523367.tif 000003
【図２】
2018523367.tif 000004
【図３】
2018523367.tif 000005
【図４】
2018523367.tif 000006
【図５】
2018523367.tif 000007
【図６】
2018523367.tif 000008
【図７】
2018523367.tif 000009
【手続補正書】
【提出日】平成30年2月13日(2018.2.13)
【手続補正１】
【補正対象書類名】特許請求の範囲
【補正対象項目名】全文
【補正方法】変更
【補正の内容】
【特許請求の範囲】
【請求項１】
第１の基本サービスセット（ＢＳＳ）に関連付けられた第１のワイヤレスデバイスによるワイヤレス通信の方法であって、
第２のワイヤレスデバイスから、送信機アドレスフィールドを有するデータ確認メッセージを受信することと、前記データ確認メッセージは、前記第２のワイヤレスデバイスが、前記第２のワイヤレスデバイスに送信されたデータを正常に受信したかどうかを示す、
前記受信されたデータ確認メッセージの前記送信機アドレスフィールドに基づいて、前記第２のワイヤレスデバイスが前記第１のＢＳＳに関連付けられるのか前記第１のＢＳＳとは異なる第２のＢＳＳに関連付けられるのかを決定することと、前記第２のＢＳＳが、前記第１のワイヤレスデバイスに関連付けられた前記第１のＢＳＳとは異なる重複ＢＳＳ（ＯＢＳＳ）である、
前記第２のワイヤレスデバイスが前記第１のＢＳＳに関連付けられるのか前記第１のＢＳＳとは異なる前記第２のＢＳＳに関連付けられるのかの前記決定に基づいて、第３のワイヤレスデバイスに時間期間中で送信することと
を備える、方法。
【請求項２】
前記時間期間は、前記第２のワイヤレスデバイスが前記第２のＢＳＳに関連付けられるとき、前記データ確認メッセージの送信中にあり、前記時間期間は、前記第２のワイヤレスデバイスが前記第１のＢＳＳに関連付けられるとき、前記データ確認メッセージの前記送信の後にある、請求項１に記載の方法。
【請求項３】
前記データ確認メッセージが受信機アドレスフィールドと前記送信機アドレスフィールドとを備え、ここにおいて、前記第２のワイヤレスデバイスが前記第１のＢＳＳに関連付けられるのか前記第２のＢＳＳに関連付けられるのかを前記決定することは、
前記受信されたデータ確認メッセージ中に含まれる前記送信機アドレスフィールドが、前記第２のワイヤレスデバイスが前記第１のＢＳＳに関連付けられることを示すのか前記第２のＢＳＳに関連付けられることを示すのかを決定すること
を備える、請求項１に記載の方法。
【請求項４】
前記受信されたデータ確認メッセージがアクセスポイントから受信され、前記アクセスポイントが前記第２のワイヤレスデバイスであり、前記受信機アドレスフィールドがＢＳＳ識別子（ＢＳＳＩＤ）を含み、ここにおいて、前記第２のワイヤレスデバイスが前記第１のＢＳＳに関連付けられるのか前記第２のＢＳＳに関連付けられるのかの前記決定は、前記受信機アドレスフィールド中の前記ＢＳＳＩＤにさらに基づく、請求項３に記載の方法。
【請求項５】
前記受信されたデータ確認メッセージは、前記受信機アドレスフィールドが前記ＢＳＳＩＤを含むかどうかを示す、フレーム制御フィールド中のインジケータを含む、請求項４に記載の方法。
【請求項６】
前記受信機アドレスフィールドが、前記第２のワイヤレスデバイスと別のワイヤレスデバイスとの間のネゴシエーションに基づく前記ＢＳＳＩＤを含む、請求項４に記載の方法。
【請求項７】
前記送信機アドレスフィールドがＢＳＳ識別子（ＢＳＳＩＤ）を含み、ここにおいて、前記第２のワイヤレスデバイスが前記第１のＢＳＳに関連付けられるのか前記第２のＢＳＳに関連付けられるのかの前記決定は、前記送信機アドレスフィールド中の前記ＢＳＳＩＤに基づく、請求項３に記載の方法。
【請求項８】
別のワイヤレスデバイスからデータメッセージを受信することと、
前記データメッセージが正常に受信されたかどうかに基づいて、前記別のワイヤレスデバイスに第２のデータ確認メッセージを送信することと、ここにおいて、前記第２のデータ確認メッセージは、少なくとも１つの他のワイヤレスデバイスが送信することを控えるべきかどうかを決定することを可能にする、媒体アクセス制御（ＭＡＣ）ヘッダ中のＢＳＳ識別子（ＢＳＳＩＤ）を含む、
をさらに備える、請求項１に記載の方法。
【請求項９】
前記第２のデータ確認メッセージが第２の受信機アドレスフィールドまたは第２の送信機アドレスフィールドを備え、ここにおいて、少なくとも１つの前記第２の受信機アドレスフィールドまたは前記第２の送信機アドレスフィールドは、前記第２のデータ確認メッセージが、前記少なくとも１つの他のワイヤレスデバイスに関連付けられたＢＳＳとは異なるＢＳＳから送信されているかどうかを示す、請求項８に記載の方法。
【請求項１０】
ワイヤレス通信のための装置であって、前記装置が、第１の基本サービスセット（ＢＳＳ）に関連付けられた第１のワイヤレスデバイスであり、
メモリと、
前記メモリに結合された少なくとも１つのプロセッサと
を備え、前記少なくとも１つのプロセッサは、
第２のワイヤレスデバイスから、送信機アドレスフィールドを有するデータ確認メッセージを受信することと、前記データ確認メッセージは、前記第２のワイヤレスデバイスが、前記第２のワイヤレスデバイスに送信されたデータを正常に受信したかどうかを示す、
前記受信されたデータ確認メッセージの前記送信機アドレスフィールドに基づいて、前記第２のワイヤレスデバイスが前記第１のＢＳＳに関連付けられるのか前記第１のＢＳＳとは異なる第２のＢＳＳに関連付けられるのかを決定することと、前記第２のＢＳＳが、前記第１のワイヤレスデバイスに関連付けられた前記第１のＢＳＳとは異なる重複ＢＳＳ（ＯＢＳＳ）である、
前記第２のワイヤレスデバイスが前記第１のＢＳＳに関連付けられるのか前記第１のＢＳＳとは異なる前記第２のＢＳＳに関連付けられるのかの前記決定に基づいて、第３のワイヤレスデバイスに時間期間中で送信することと
を行うように構成された、装置。
【請求項１１】
前記時間期間は、前記第２のワイヤレスデバイスが前記第２のＢＳＳに関連付けられるとき、前記データ確認メッセージの送信中にあり、前記時間期間は、前記第２のワイヤレスデバイスが前記第１のＢＳＳに関連付けられるとき、前記データ確認メッセージの前記送信の後にある、請求項１０に記載の装置。
【請求項１２】
前記データ確認メッセージが受信機アドレスフィールドと前記送信機アドレスフィールドとを備え、ここにおいて、前記少なくとも１つのプロセッサは、
前記受信されたデータ確認メッセージ中に含まれる前記送信機アドレスフィールドが、前記第２のワイヤレスデバイスが前記第１のＢＳＳに関連付けられることを示すのか前記第２のＢＳＳに関連付けられることを示すのかを決定すること
によって、前記第２のワイヤレスデバイスが前記第１のＢＳＳに関連付けられるのか前記第２のＢＳＳに関連付けられるのかを決定するように構成された、請求項１０に記載の装置。
【請求項１３】
前記受信されたデータ確認メッセージがアクセスポイントから受信され、前記アクセスポイントが前記第２のワイヤレスデバイスであり、前記受信機アドレスフィールドがＢＳＳ識別子（ＢＳＳＩＤ）を含み、ここにおいて、前記第２のワイヤレスデバイスが前記第１のＢＳＳに関連付けられるのか前記第２のＢＳＳに関連付けられるのかの前記決定は、前記受信機アドレスフィールド中の前記ＢＳＳＩＤにさらに基づく、請求項１２に記載の装置。
【請求項１４】
前記受信されたデータ確認メッセージは、前記受信機アドレスフィールドが前記ＢＳＳＩＤを含むかどうかを示す、フレーム制御フィールド中のインジケータを含む、請求項１３に記載の装置。
【請求項１５】
前記受信機アドレスフィールドが、前記第２のワイヤレスデバイスと別のワイヤレスデバイスとの間のネゴシエーションに基づく前記ＢＳＳＩＤを含む、請求項１３に記載の装置。
【請求項１６】
前記送信機アドレスフィールドがＢＳＳ識別子（ＢＳＳＩＤ）を含み、ここにおいて、前記第２のワイヤレスデバイスが前記第１のＢＳＳに関連付けられるのか前記第２のＢＳＳに関連付けられるのかの前記決定は、前記送信機アドレスフィールド中の前記ＢＳＳＩＤに基づく、請求項１２に記載の装置。
【請求項１７】
前記少なくとも１つのプロセッサは、
別のワイヤレスデバイスからデータメッセージを受信することと、
前記データメッセージが正常に受信されたかどうかに基づいて、前記別のワイヤレスデバイスに第２のデータ確認メッセージを送信することと、ここにおいて、前記第２のデータ確認メッセージは、少なくとも１つの他のワイヤレスデバイスが送信することを控えるべきかどうかを決定することを可能にする、媒体アクセス制御（ＭＡＣ）ヘッダ中のＢＳＳ識別子（ＢＳＳＩＤ）を含む、
を行うようにさらに構成された、請求項１０に記載の装置。
【請求項１８】
前記第２のデータ確認メッセージが第２の受信機アドレスフィールドまたは第２の送信機アドレスフィールドを備え、ここにおいて、少なくとも１つの前記第２の受信機アドレスフィールドまたは前記第２の送信機アドレスフィールドは、前記第２のデータ確認メッセージが、前記少なくとも１つの他のワイヤレスデバイスに関連付けられたＢＳＳとは異なるＢＳＳから送信されているかどうかを示す、請求項１７に記載の装置。
【請求項１９】
ワイヤレス通信のための装置であって、前記装置が、第１の基本サービスセット（ＢＳＳ）に関連付けられた第１のワイヤレスデバイスであり、
第２のワイヤレスデバイスから、送信機アドレスフィールドを有するデータ確認メッセージを受信するための手段と、前記データ確認メッセージは、前記第２のワイヤレスデバイスが、前記第２のワイヤレスデバイスに送信されたデータを正常に受信したかどうかを示す、
前記受信されたデータ確認メッセージの前記送信機アドレスフィールドに基づいて、前記第２のワイヤレスデバイスが前記第１のＢＳＳに関連付けられるのか前記第１のＢＳＳとは異なる第２のＢＳＳに関連付けられるのかを決定するための手段と、前記第２のＢＳＳが、前記第１のワイヤレスデバイスに関連付けられた前記第１のＢＳＳとは異なる重複ＢＳＳ（ＯＢＳＳ）である、
前記第２のワイヤレスデバイスが前記第１のＢＳＳに関連付けられるのか前記第１のＢＳＳとは異なる前記第２のＢＳＳに関連付けられるのかの前記決定に基づいて、第３のワイヤレスデバイスに時間期間中で送信するための手段と
を備える、装置。
【請求項２０】
前記時間期間は、前記第２のワイヤレスデバイスが前記第２のＢＳＳに関連付けられるとき、前記データ確認メッセージの送信中にあり、前記時間期間は、前記第２のワイヤレスデバイスが前記第１のＢＳＳに関連付けられるとき、前記データ確認メッセージの前記送信の後にある、請求項１９に記載の装置。
【請求項２１】
前記データ確認メッセージが受信機アドレスフィールドと前記送信機アドレスフィールドとを備え、ここにおいて、前記第２のワイヤレスデバイスが前記第１のＢＳＳに関連付けられるのか前記第２のＢＳＳに関連付けられるのかを決定するための前記手段は、
前記受信されたデータ確認メッセージ中に含まれる前記送信機アドレスフィールドが、前記第２のワイヤレスデバイスが前記第１のＢＳＳに関連付けられることを示すのか前記第２のＢＳＳに関連付けられることを示すのかを決定する
ように構成された、請求項１９に記載の装置。
【請求項２２】
前記受信されたデータ確認メッセージがアクセスポイントから受信され、前記アクセスポイントが前記第２のワイヤレスデバイスであり、前記受信機アドレスフィールドがＢＳＳ識別子（ＢＳＳＩＤ）を含み、ここにおいて、前記第２のワイヤレスデバイスが前記第１のＢＳＳに関連付けられるのか前記第２のＢＳＳに関連付けられるのかの前記決定は、前記受信機アドレスフィールド中の前記ＢＳＳＩＤにさらに基づく、請求項２１に記載の装置。
【請求項２３】
前記受信されたデータ確認メッセージは、前記受信機アドレスフィールドが前記ＢＳＳＩＤを含むかどうかを示す、フレーム制御フィールド中のインジケータを含む、請求項２２に記載の装置。
【請求項２４】
前記受信機アドレスフィールドが、前記第２のワイヤレスデバイスと別のワイヤレスデバイスとの間のネゴシエーションに基づく前記ＢＳＳＩＤを含む、請求項２２に記載の装置。
【請求項２５】
前記送信機アドレスフィールドがＢＳＳ識別子（ＢＳＳＩＤ）を含み、ここにおいて、前記第２のワイヤレスデバイスが前記第１のＢＳＳに関連付けられるのか前記第２のＢＳＳに関連付けられるのかの前記決定は、前記送信機アドレスフィールド中の前記ＢＳＳＩＤに基づく、請求項２１に記載の装置。
【請求項２６】
別のワイヤレスデバイスからデータメッセージを受信するための手段と、
前記データメッセージが正常に受信されたかどうかに基づいて、前記別のワイヤレスデバイスに第２のデータ確認メッセージを送信するための手段と、ここにおいて、前記第２のデータ確認メッセージは、少なくとも１つの他のワイヤレスデバイスが送信することを控えるべきかどうかを決定することを可能にする、媒体アクセス制御（ＭＡＣ）ヘッダ中のＢＳＳ識別子（ＢＳＳＩＤ）を含む、
をさらに備える、請求項１９に記載の装置。
【請求項２７】
前記第２のデータ確認メッセージが第２の受信機アドレスフィールドまたは第２の送信機アドレスフィールドを備え、ここにおいて、少なくとも１つの前記第２の受信機アドレスフィールドまたは前記第２の送信機アドレスフィールドは、前記第２のデータ確認メッセージが、前記少なくとも１つの他のワイヤレスデバイスに関連付けられたＢＳＳとは異なるＢＳＳから送信されているかどうかを示す、請求項２６に記載の装置。
【請求項２８】
コンピュータ実行可能コードを記憶する、第１の基本サービスセット（ＢＳＳ）に関連付けられた第１のワイヤレスデバイスのコンピュータ可読媒体であって、
第２のワイヤレスデバイスから、送信機アドレスフィールドを有するデータ確認メッセージを受信することと、前記データ確認メッセージは、前記第２のワイヤレスデバイスが、前記第２のワイヤレスデバイスに送信されたデータを正常に受信したかどうかを示す、
前記受信されたデータ確認メッセージの前記送信機アドレスフィールドに基づいて、前記第２のワイヤレスデバイスが前記第１のＢＳＳに関連付けられるのか前記第１のＢＳＳとは異なる第２のＢＳＳに関連付けられるのかを決定することと、前記第２のＢＳＳが、前記第１のワイヤレスデバイスに関連付けられた前記第１のＢＳＳとは異なる重複ＢＳＳ（ＯＢＳＳ）である、
前記第２のワイヤレスデバイスが前記第１のＢＳＳに関連付けられるのか前記第１のＢＳＳとは異なる前記第２のＢＳＳに関連付けられるのかの前記決定に基づいて、第３のワイヤレスデバイスに時間期間中で送信することと
を行うためのコードを備える、コンピュータ可読媒体。
【請求項２９】
前記時間期間は、前記第２のワイヤレスデバイスが前記第２のＢＳＳに関連付けられるとき、前記データ確認メッセージの送信中にあり、前記時間期間は、前記第２のワイヤレスデバイスが前記第１のＢＳＳに関連付けられるとき、前記データ確認メッセージの前記送信の後にある、請求項２８に記載のコンピュータ可読媒体。
【請求項３０】
前記データ確認メッセージが受信機アドレスフィールドと前記送信機アドレスフィールドとを備え、ここにおいて、前記第２のワイヤレスデバイスが前記第１のＢＳＳに関連付けられるのか前記第２のＢＳＳに関連付けられるのかを決定するための前記コードは、
前記受信されたデータ確認メッセージ中に含まれる前記送信機アドレスフィールドが、前記第２のワイヤレスデバイスが前記第１のＢＳＳに関連付けられることを示すのか前記第２のＢＳＳに関連付けられることを示すのかを決定する
ためのコードを備える、請求項２８に記載のコンピュータ可読媒体。
【手続補正２】
【補正対象書類名】明細書
【補正対象項目名】００７７
【補正方法】変更
【補正の内容】
【００７７】
[0083]以上の説明は、当業者が本明細書で説明された様々な態様を実施することができるようにするために提供されたものである。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本開示全体にわたって説明された様々な態様の要素のすべての構造的および機能的均等物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条（ｆ）の規定の下で解釈されるべきではない。
以下に本願の出願当初の特許請求の範囲に記載された発明を付記する。
［Ｃ１］
第１の基本サービスセット（ＢＳＳ）に関連付けられた第１のワイヤレスデバイスによるワイヤレス通信の方法であって、
第２のワイヤレスデバイスからデータ確認メッセージを受信することと、前記データ確認メッセージは、前記第２のワイヤレスデバイスが、前記第２のワイヤレスデバイスに送信されたデータを正常に受信したかどうかを示す、
前記受信されたデータ確認メッセージと前記受信されたデータ確認メッセージの媒体アクセス制御（ＭＡＣ）ヘッダとに基づいて、前記第２のワイヤレスデバイスが前記第１のＢＳＳに関連付けられるのか前記第１のＢＳＳとは異なる第２のＢＳＳに関連付けられるのかを決定することと、前記第２のＢＳＳが、前記第１のワイヤレスデバイスに関連付けられた前記第１のＢＳＳとは異なる重複ＢＳＳ（ＯＢＳＳ）である、
前記第２のワイヤレスデバイスが前記第１のＢＳＳに関連付けられるのか前記第１のＢＳＳとは異なる前記第２のＢＳＳに関連付けられるのかの前記決定に基づいて、第３のワイヤレスデバイスに時間期間中で送信することとを備える、方法。
［Ｃ２］
前記時間期間は、前記第２のワイヤレスデバイスが前記第２のＢＳＳに関連付けられるとき、前記データ確認メッセージの送信中にあり、前記時間期間は、前記第２のワイヤレスデバイスが前記第１のＢＳＳに関連付けられるとき、前記データ確認メッセージの前記送信の後にある、Ｃ１に記載の方法。
［Ｃ３］
前記ＭＡＣヘッダが受信機アドレスフィールドまたは送信機アドレスフィールドを備え、ここにおいて、前記第２のワイヤレスデバイスが前記第１のＢＳＳに関連付けられるのか前記第２のＢＳＳに関連付けられるのかを前記決定することは、
前記受信されたデータ確認メッセージ中に含まれる前記受信機アドレスフィールドが、前記第２のワイヤレスデバイスが前記第１のＢＳＳに関連付けられることを示すのか前記第２のＢＳＳに関連付けられることを示すのかを決定すること、または、
前記受信されたデータ確認メッセージ中に含まれる前記送信機アドレスフィールドが、前記第２のワイヤレスデバイスが前記第１のＢＳＳに関連付けられることを示すのか前記第２のＢＳＳに関連付けられることを示すのかを決定することのうちの少なくとも１つを備える、Ｃ１に記載の方法。
［Ｃ４］
前記受信されたデータ確認メッセージがアクセスポイントから受信され、前記アクセスポイントが前記第２のワイヤレスデバイスであり、前記受信機アドレスフィールドがＢＳＳ識別子（ＢＳＳＩＤ）を含み、ここにおいて、前記第２のワイヤレスデバイスが前記第１のＢＳＳに関連付けられるのか前記第２のＢＳＳに関連付けられるのかの前記決定は、前記受信機アドレスフィールド中の前記ＢＳＳＩＤに基づく、Ｃ３に記載の方法。
［Ｃ５］
前記受信されたデータ確認メッセージは、前記受信機アドレスフィールドが前記ＢＳＳＩＤを含むかどうかを示す、フレーム制御フィールド中のインジケータを含む、Ｃ４に記載の方法。
［Ｃ６］
前記受信機アドレスフィールドが、前記第２のワイヤレスデバイスと別のワイヤレスデバイスとの間のネゴシエーションに基づく前記ＢＳＳＩＤを含む、Ｃ４に記載の方法。
［Ｃ７］
前記送信機アドレスフィールドがＢＳＳ識別子（ＢＳＳＩＤ）を含み、ここにおいて、前記第２のワイヤレスデバイスが前記第１のＢＳＳに関連付けられるのか前記第２のＢＳＳに関連付けられるのかの前記決定は、前記送信機アドレスフィールド中の前記ＢＳＳＩＤに基づく、Ｃ３に記載の方法。
［Ｃ８］
別のワイヤレスデバイスからデータメッセージを受信することと、
前記データメッセージが正常に受信されたかどうかに基づいて、前記別のワイヤレスデバイスに第２のデータ確認メッセージを送信することと、ここにおいて、前記第２のデータ確認メッセージは、少なくとも１つの他のワイヤレスデバイスが送信することを控えるべきかどうかを決定することを可能にする、第２のＭＡＣヘッダ中のＢＳＳ識別子（ＢＳＳＩＤ）を含む、をさらに備える、Ｃ１に記載の方法。
［Ｃ９］
前記第２のデータ確認メッセージが第２の受信機アドレスフィールドまたは第２の送信機アドレスフィールドを備え、ここにおいて、少なくとも１つの前記第２の受信機アドレスフィールドまたは前記第２の送信機アドレスフィールドは、前記第２のデータ確認メッセージが、前記少なくとも１つの他のワイヤレスデバイスに関連付けられたＢＳＳとは異なるＢＳＳから送信されているかどうかを示す、Ｃ８に記載の方法。
［Ｃ１０］
ワイヤレス通信のための装置であって、前記装置が、第１の基本サービスセット（ＢＳＳ）に関連付けられた第１のワイヤレスデバイスであり、
メモリと、
前記メモリに結合された少なくとも１つのプロセッサとを備え、前記少なくとも１つのプロセッサは、
第２のワイヤレスデバイスからデータ確認メッセージを受信することと、前記データ確認メッセージは、前記第２のワイヤレスデバイスが、前記第２のワイヤレスデバイスに送信されたデータを正常に受信したかどうかを示す、
前記受信されたデータ確認メッセージと前記受信されたデータ確認メッセージの媒体アクセス制御（ＭＡＣ）ヘッダとに基づいて、前記第２のワイヤレスデバイスが前記第１のＢＳＳに関連付けられるのか前記第１のＢＳＳとは異なる第２のＢＳＳに関連付けられるのかを決定することと、前記第２のＢＳＳが、前記第１のワイヤレスデバイスに関連付けられた前記第１のＢＳＳとは異なる重複ＢＳＳ（ＯＢＳＳ）である、
前記第２のワイヤレスデバイスが前記第１のＢＳＳに関連付けられるのか前記第１のＢＳＳとは異なる前記第２のＢＳＳに関連付けられるのかの前記決定に基づいて、第３のワイヤレスデバイスに時間期間中で送信することとを行うように構成された、装置。
［Ｃ１１］
前記時間期間は、前記第２のワイヤレスデバイスが前記第２のＢＳＳに関連付けられるとき、前記データ確認メッセージの送信中にあり、前記時間期間は、前記第２のワイヤレスデバイスが前記第１のＢＳＳに関連付けられるとき、前記データ確認メッセージの前記送信の後にある、Ｃ１０に記載の装置。
［Ｃ１２］
前記ＭＡＣヘッダが受信機アドレスフィールドまたは送信機アドレスフィールドを備え、ここにおいて、前記少なくとも１つのプロセッサは、
前記受信されたデータ確認メッセージ中に含まれる前記受信機アドレスフィールドが、前記第２のワイヤレスデバイスが前記第１のＢＳＳに関連付けられることを示すのか前記第２のＢＳＳに関連付けられることを示すのかを決定すること、または、
前記受信されたデータ確認メッセージ中に含まれる前記送信機アドレスフィールドが、前記第２のワイヤレスデバイスが前記第１のＢＳＳに関連付けられることを示すのか前記第２のＢＳＳに関連付けられることを示すのかを決定することのうちの少なくとも１つを実行することによって、前記第２のワイヤレスデバイスが前記第１のＢＳＳに関連付けられるのか前記第２のＢＳＳに関連付けられるのかを決定するように構成された、Ｃ１０に記載の装置。
［Ｃ１３］
前記受信されたデータ確認メッセージがアクセスポイントから受信され、前記アクセスポイントが前記第２のワイヤレスデバイスであり、前記受信機アドレスフィールドがＢＳＳ識別子（ＢＳＳＩＤ）を含み、ここにおいて、前記第２のワイヤレスデバイスが前記第１のＢＳＳに関連付けられるのか前記第２のＢＳＳに関連付けられるのかの前記決定は、前記受信機アドレスフィールド中の前記ＢＳＳＩＤに基づく、Ｃ１２に記載の装置。
［Ｃ１４］
前記受信されたデータ確認メッセージは、前記受信機アドレスフィールドが前記ＢＳＳＩＤを含むかどうかを示す、フレーム制御フィールド中のインジケータを含む、Ｃ１３に記載の装置。
［Ｃ１５］
前記受信機アドレスフィールドが、前記第２のワイヤレスデバイスと別のワイヤレスデバイスとの間のネゴシエーションに基づく前記ＢＳＳＩＤを含む、Ｃ１３に記載の装置。
［Ｃ１６］
前記送信機アドレスフィールドがＢＳＳ識別子（ＢＳＳＩＤ）を含み、ここにおいて、前記第２のワイヤレスデバイスが前記第１のＢＳＳに関連付けられるのか前記第２のＢＳＳに関連付けられるのかの前記決定は、前記送信機アドレスフィールド中の前記ＢＳＳＩＤに基づく、Ｃ１２に記載の装置。
［Ｃ１７］
前記少なくとも１つのプロセッサは、
別のワイヤレスデバイスからデータメッセージを受信することと、
前記データメッセージが正常に受信されたかどうかに基づいて、前記別のワイヤレスデバイスに第２のデータ確認メッセージを送信することと、ここにおいて、前記第２のデータ確認メッセージは、少なくとも１つの他のワイヤレスデバイスが送信することを控えるべきかどうかを決定することを可能にする、第２のＭＡＣヘッダ中のＢＳＳ識別子（ＢＳＳＩＤ）を含む、を行うようにさらに構成された、Ｃ１０に記載の装置。
［Ｃ１８］
前記第２のデータ確認メッセージが第２の受信機アドレスフィールドまたは第２の送信機アドレスフィールドを備え、ここにおいて、少なくとも１つの前記第２の受信機アドレスフィールドまたは前記第２の送信機アドレスフィールドは、前記第２のデータ確認メッセージが、前記少なくとも１つの他のワイヤレスデバイスに関連付けられたＢＳＳとは異なるＢＳＳから送信されているかどうかを示す、Ｃ１７に記載の装置。
［Ｃ１９］
ワイヤレス通信のための装置であって、前記装置が、第１の基本サービスセット（ＢＳＳ）に関連付けられた第１のワイヤレスデバイスであり、
第２のワイヤレスデバイスからデータ確認メッセージを受信するための手段と、前記データ確認メッセージは、前記第２のワイヤレスデバイスが、前記第２のワイヤレスデバイスに送信されたデータを正常に受信したかどうかを示す、
前記受信されたデータ確認メッセージと前記受信されたデータ確認メッセージの媒体アクセス制御（ＭＡＣ）ヘッダとに基づいて、前記第２のワイヤレスデバイスが前記第１のＢＳＳに関連付けられるのか前記第１のＢＳＳとは異なる第２のＢＳＳに関連付けられるのかを決定するための手段と、前記第２のＢＳＳが、前記第１のワイヤレスデバイスに関連付けられた前記第１のＢＳＳとは異なる重複ＢＳＳ（ＯＢＳＳ）である、
前記第２のワイヤレスデバイスが前記第１のＢＳＳに関連付けられるのか前記第１のＢＳＳとは異なる前記第２のＢＳＳに関連付けられるのかの前記決定に基づいて、第３のワイヤレスデバイスに時間期間中で送信するための手段とを備える、装置。
［Ｃ２０］
前記時間期間は、前記第２のワイヤレスデバイスが前記第２のＢＳＳに関連付けられるとき、前記データ確認メッセージの送信中にあり、前記時間期間は、前記第２のワイヤレスデバイスが前記第１のＢＳＳに関連付けられるとき、前記データ確認メッセージの前記送信の後にある、Ｃ１９に記載の装置。
［Ｃ２１］
前記ＭＡＣヘッダが受信機アドレスフィールドまたは送信機アドレスフィールドを備え、ここにおいて、前記第２のワイヤレスデバイスが前記第１のＢＳＳに関連付けられるのか前記第２のＢＳＳに関連付けられるのかを決定するための前記手段は、
前記受信されたデータ確認メッセージ中に含まれる前記受信機アドレスフィールドが、前記第２のワイヤレスデバイスが前記第１のＢＳＳに関連付けられることを示すのか前記第２のＢＳＳに関連付けられることを示すのかを決定すること、または、
前記受信されたデータ確認メッセージ中に含まれる前記送信機アドレスフィールドが、前記第２のワイヤレスデバイスが前記第１のＢＳＳに関連付けられることを示すのか前記第２のＢＳＳに関連付けられることを示すのかを決定することのうちの少なくとも１つを実行するように構成された、Ｃ１９に記載の装置。
［Ｃ２２］
前記受信されたデータ確認メッセージがアクセスポイントから受信され、前記アクセスポイントが前記第２のワイヤレスデバイスであり、前記受信機アドレスフィールドがＢＳＳ識別子（ＢＳＳＩＤ）を含み、ここにおいて、前記第２のワイヤレスデバイスが前記第１のＢＳＳに関連付けられるのか前記第２のＢＳＳに関連付けられるのかの前記決定は、前記受信機アドレスフィールド中の前記ＢＳＳＩＤに基づく、Ｃ２１に記載の装置。
［Ｃ２３］
前記受信されたデータ確認メッセージは、前記受信機アドレスフィールドが前記ＢＳＳＩＤを含むかどうかを示す、フレーム制御フィールド中のインジケータを含む、Ｃ２２に記載の装置。
［Ｃ２４］
前記受信機アドレスフィールドが、前記第２のワイヤレスデバイスと別のワイヤレスデバイスとの間のネゴシエーションに基づく前記ＢＳＳＩＤを含む、Ｃ２２に記載の装置。
［Ｃ２５］
前記送信機アドレスフィールドがＢＳＳ識別子（ＢＳＳＩＤ）を含み、ここにおいて、前記第２のワイヤレスデバイスが前記第１のＢＳＳに関連付けられるのか前記第２のＢＳＳに関連付けられるのかの前記決定は、前記送信機アドレスフィールド中の前記ＢＳＳＩＤに基づく、Ｃ２１に記載の装置。
［Ｃ２６］
別のワイヤレスデバイスからデータメッセージを受信するための手段と、
前記データメッセージが正常に受信されたかどうかに基づいて、前記別のワイヤレスデバイスに第２のデータ確認メッセージを送信するための手段と、ここにおいて、前記第２のデータ確認メッセージは、少なくとも１つの他のワイヤレスデバイスが送信することを控えるべきかどうかを決定することを可能にする、第２のＭＡＣヘッダ中のＢＳＳ識別子（ＢＳＳＩＤ）を含む、をさらに備える、Ｃ１９に記載の装置。
［Ｃ２７］
前記第２のデータ確認メッセージが第２の受信機アドレスフィールドまたは第２の送信機アドレスフィールドを備え、ここにおいて、少なくとも１つの前記第２の受信機アドレスフィールドまたは前記第２の送信機アドレスフィールドは、前記第２のデータ確認メッセージが、前記少なくとも１つの他のワイヤレスデバイスに関連付けられたＢＳＳとは異なるＢＳＳから送信されているかどうかを示す、Ｃ２６に記載の装置。
［Ｃ２８］
第２のワイヤレスデバイスからデータ確認メッセージを受信することと、前記データ確認メッセージは、前記第２のワイヤレスデバイスが、前記第２のワイヤレスデバイスに送信されたデータを正常に受信したかどうかを示す、
前記受信されたデータ確認メッセージと前記受信されたデータ確認メッセージの媒体アクセス制御（ＭＡＣ）ヘッダとに基づいて、前記第２のワイヤレスデバイスが第１の基本サービスセット（ＢＳＳ）に関連付けられるのか前記第１のＢＳＳとは異なる第２のＢＳＳに関連付けられるのかを決定することと、前記第２のＢＳＳが、第１のワイヤレスデバイスに関連付けられた前記第１のＢＳＳとは異なる重複ＢＳＳ（ＯＢＳＳ）である、
前記第２のワイヤレスデバイスが前記第１のＢＳＳに関連付けられるのか前記第１のＢＳＳとは異なる前記第２のＢＳＳに関連付けられるのかの前記決定に基づいて、第３のワイヤレスデバイスに時間期間中で送信することとを行うためのコードを備える、コンピュータ実行可能コードを記憶する、前記第１のＢＳＳに関連付けられた前記第１のワイヤレスデバイスのコンピュータ可読媒体。
［Ｃ２９］
前記時間期間は、前記第２のワイヤレスデバイスが前記第２のＢＳＳに関連付けられるとき、前記データ確認メッセージの送信中にあり、前記時間期間は、前記第２のワイヤレスデバイスが前記第１のＢＳＳに関連付けられるとき、前記データ確認メッセージの前記送信の後にある、Ｃ２８に記載のコンピュータ可読媒体。
［Ｃ３０］
前記ＭＡＣヘッダが受信機アドレスフィールドまたは送信機アドレスフィールドを備え、ここにおいて、前記第２のワイヤレスデバイスが前記第１のＢＳＳに関連付けられるのか前記第２のＢＳＳに関連付けられるのかを決定するための前記コードは、
前記受信されたデータ確認メッセージ中に含まれる前記受信機アドレスフィールドが、前記第２のワイヤレスデバイスが前記第１のＢＳＳに関連付けられることを示すのか前記第２のＢＳＳに関連付けられることを示すのかを決定するためのコード、または、
前記受信されたデータ確認メッセージ中に含まれる前記送信機アドレスフィールドが、前記第２のワイヤレスデバイスが前記第１のＢＳＳに関連付けられることを示すのか前記第２のＢＳＳに関連付けられることを示すのかを決定するためのコードのうちの少なくとも１つを備える、Ｃ２８に記載のコンピュータ可読媒体。
【国際調査報告】
2018523367.tif 000010
2018523367.tif 000011
2018523367.tif 000012